(57)【特許請求の範囲】
【請求項１】
所定方向に並設された複数の駆動電極と、
前記所定方向との交差方向に並設され、前記駆動電極との間に静電容量を形成する複数のタッチ検出電極と、
指示具が前記タッチ検出電極に接触又は近接したか否かを検出するタッチ検出動作時に、前記駆動電極にタッチ検出駆動信号を印加する動作駆動部と、
前記タッチ検出動作時に、前記タッチ検出電極から検出されるタッチ検出信号に基づいて、前記タッチ検出電極に接触又は近接する前記指示具の位置を検出するタッチ検出部と、
を備え、
複数の前記駆動電極は、３つ以上の前記駆動電極を含み、該各駆動電極は電気的に接続されて構成された複数の駆動信号印加ブロックに分けられ、
該駆動信号印加ブロックは、前記所定方向の端部側の少なくとも１つの前記駆動電極が、隣接する駆動信号印加ブロックの前記所定方向の端部側の少なくとも１つの前記駆動電極と、前記駆動電極の並び順が入れ替わって配設された駆動ブロック重畳部を有し、
前記動作駆動部は、前記各駆動電極同士の電気的な接続状態を任意に切り替えるスイッチング機能を有し、該スイッチング機能によって同一の前記駆動信号印加ブロックを構成する複数の前記駆動電極を電気的に接続するとともに、前記駆動信号印加ブロックごとに順次、前記タッチ検出駆動信号を印加して、前記タッチ検出部によって検出された前記指示具に基づいて、前記駆動信号印加ブロックを構成する前記駆動電極の数、及び複数の該駆動電極の電極パターンの少なくとも一方を変更するタッチ検出装置。
【請求項２】
前記各駆動信号印加ブロックを構成する前記駆動電極の数は同一であり、かつ、前記所定方向の端部側以外の複数の前記駆動信号印加ブロックは、該各駆動信号印加ブロックに含まれる複数の前記駆動電極の電極パターンが同一である請求項１に記載のタッチ検出装置。
【請求項３】
前記各駆動信号印加ブロックにおいて、前記駆動ブロック重畳部以外の前記駆動電極は、前記所定方向に隣接した複数の前記駆動電極である請求項１又は２に記載のタッチ検出装置。
【請求項４】
前記駆動ブロック重畳部は、同一の前記駆動信号印加ブロックに含まれる前記所定方向に隣接した複数の前記駆動電極を含む請求項１〜３のいずれか一項に記載のタッチ検出装置。
【請求項５】
複数の前記タッチ検出電極は、３つ以上の前記タッチ検出電極を含み、該各タッチ検出電極は電気的に接続されて構成された複数のタッチ検出信号検出ブロックに分けられ、
該タッチ検出信号検出ブロックは、前記交差方向の端部側に少なくとも１つの前記タッチ検出電極が、隣接するタッチ検出信号検出ブロックの前記交差方向の端部側の少なくとも１つの前記タッチ検出電極と、前記タッチ検出電極の並び順が入れ替わって配設された検出ブロック重畳部を有し、
前記タッチ検出部は、前記タッチ検出信号検出ブロックごとに前記タッチ検出信号を検出する請求項１〜４のいずれか一項に記載のタッチ検出装置。
【請求項６】
前記各タッチ検出信号検出ブロックを構成する前記タッチ検出電極の数は同一であり、かつ、前記交差方向の端部側以外の複数の前記タッチ検出信号検出ブロックは、該各タッチ検出信号検出ブロックに含まれる複数の前記タッチ検出電極の電極パターンが同一である請求項５に記載のタッチ検出装置。
【請求項７】
前記各タッチ検出信号検出ブロックにおいて、前記検出ブロック重畳部以外の前記タッチ検出電極は、前記交差方向に隣接した複数の前記タッチ検出電極である請求項５又は６に記載のタッチ検出装置。
【請求項８】
前記検出ブロック重畳部は、同一の前記タッチ検出信号検出ブロックに含まれる前記交差方向に隣接した複数の前記タッチ検出電極を含む請求項５〜７のいずれか一項に記載のタッチ検出装置。
【請求項９】
前記タッチ検出部は、前記各タッチ検出電極同士の電気的な接続状態を任意に切り替えるスイッチング機能を有し、該スイッチング機能によって同一の前記タッチ検出信号検出ブロックを構成する複数の前記タッチ検出電極を電気的に接続する請求項５〜８のいずれか一項に記載のタッチ検出装置。
【請求項１０】
前記タッチ検出部は、検出した前記指示具に基づいて、前記タッチ検出信号検出ブロックを構成する前記タッチ検出電極の数、及び複数の該タッチ検出電極の電極パターンの少なくとも一方を変更する請求項９に記載のタッチ検出装置。
【請求項１１】
前記タッチ検出信号検出ブロックを構成する複数の前記タッチ検出電極は、前記タッチ検出部の外部において電気的に接続された請求項５〜８のいずれか一項に記載のタッチ検出装置。
【請求項１２】
請求項１〜１１のいずれか一項に記載のタッチ検出装置と、
画素に表示動作をさせるための画素信号が印加される複数の画素電極と、
該画素電極に前記画素信号を印加して前記表示動作を実行する表示駆動部と、
を備え、
前記動作駆動部は、前記表示動作時に、前記駆動電極に前記画素信号と同期した表示駆動信号を印加するタッチ検出機能付き表示装置。
【請求項１３】
複数の前記駆動電極は、前記表示動作時に前記表示駆動信号が印加される複数の第１駆動電極と、前記タッチ検出動作時に前記タッチ検出駆動信号が印加される複数の第２駆動電極と、によって構成された請求項１２に記載のタッチ検出機能付き表示装置。
【請求項１４】
前記表示駆動部及び前記動作駆動部を制御する制御部を備え、
該制御部は、前記表示動作を実行する表示動作期間と、前記タッチ検出動作を実行するタッチ検出期間とを交互に繰り返す請求項１２又は１３に記載のタッチ検出機能付き表示装置。
【請求項１５】
請求項１２〜１４のいずれか一項に記載のタッチ検出機能付き表示装置と、
該タッチ検出機能付き表示装置によって検出された操作に対応した処理を実行し、かつ、該タッチ検出機能付き表示装置に映像信号を供給する制御装置と、
を備えた電子機器。
【発明の詳細な説明】
【技術分野】
【０００１】
本開示は、外部近接物体の検出を静電容量の変化に基づいて検出することを可能とするタッチ検出装置、タッチ検出機能付き表示装置、及び電子機器に関する。
【背景技術】
【０００２】
近年、いわゆるタッチパネルと呼ばれるタッチ検出装置を液晶表示装置等の表示装置上に装着し、あるいは、タッチパネルと表示装置とを一体化し、その表示装置に各種のボタン画像等を表示させることによって、通常の機械式ボタンの代わりとして情報入力を可能とするタッチ検出機能付き表示装置が注目されている。このようなタッチパネルを有する表示装置は、キーボード、マウス、又はキーパッドのような入力装置を必要としないため、コンピュータのほか、携帯電話のような携帯情報端末等でも使用が拡大している。
【０００３】
タッチ検出動作の方式としては、光学式及び抵抗式等のいくつかの方式が存在するが、特に携帯端末等においては、比較的単純な構造をもち、かつ低消費電力が実現できる静電容量式が採用される傾向がある。この静電容量式のタッチ検出装置は、表示動作時には表示駆動信号が印加され、タッチ検出動作時にはタッチ検出駆動信号が印加される分割された駆動電極と、タッチ検出電極との間に静電容量を形成し、外部物体が接触又は近接することによる静電容量の変化、すなわち、タッチ検出電極に現れる電圧波形の変化を検出することによって、タッチ検出の有無を判定するものである。
【０００４】
このような静電容量式のタッチ検出装置として、平行に延在して配設された複数の駆動電極に対向して駆動電極の延在方向に直交し、かつ、平行に延在して配設された複数の検出電極を有し、駆動電極毎に駆動電圧を印加して走査し、検出電極によって検出される電圧波形によってタッチ検出を実行するものがある。しかしながら、このようなタッチ検出機能付き表示装置では、多数の駆動電極毎に走査してタッチ検出動作を実行するので、画面全体を走査し、指示具によってタッチされた座標を検出するまで時間がかかるという問題がある。
【０００５】
以上のような問題を解決するためのタッチ検出機能付き表示装置として、隣り合った複数の駆動電極を１つのブロックとして、ブロックごとに駆動信号の印加による走査を実行し、タッチ動作検出を実行するものがある（特許文献１参照）。特許文献１に記載されたタッチ検出機能付き表示装置は、ブロックごとに走査することによって、駆動電極毎に走査してタッチ検出動作を実行する場合と比較して、画面全体を走査し、指示具によってタッチされた座標を検出するまでの時間を短縮することを図っている。
【０００６】
また、隣り合った複数の駆動電極を１つのブロックとして、ブロックごとに駆動信号の印加による走査を実行し、走査されるブロックを駆動電極単位でシフトして次のブロックの走査を実行し、タッチ検出動作を実行するタッチ検出機能付き表示装置がある（特許文献２参照）。
【先行技術文献】
【特許文献】
【０００７】
【特許文献１】特開平０２−１７１８１８号公報
【特許文献２】特開２０１０−９２２７５号公報
【発明の概要】
【発明が解決しようとする課題】
【０００８】
しかしながら、特許文献１に記載されたタッチ検出機能付き表示装置は、タッチ検出された状態で、ブロック内の駆動電極の並設方向の移動（座標の変化）を検出することができないため、位置検出の精度が低下するという可能性があった。
【０００９】
また、特許文献２に記載されたタッチ検出機能付き表示装置は、ブロックごとに駆動信号による走査を実行するため、指示具のタッチ感度を向上させることはできるが、スキャンされるブロックが電極単位でシフトさせている。このため、電極毎に走査する場合と比較して、画面全体を走査し、指示具によってタッチされた座標を検出する時間が同様であり、時間がかかるという問題は依然として解消されないという可能性があった。
【００１０】
本開示は、上記のような課題を解決するためになされたものであり、画面全体を走査する時間を短縮させつつ、位置検出の精度の低下を抑制するタッチ検出装置、タッチ検出機能付き表示装置、及び電子機器を得ることを目的とする。
【課題を解決するための手段】
【００１１】
本開示に係るタッチ検出装置は、所定方向に並設された複数の駆動電極と、前記所定方向との交差方向に並設され、前記駆動電極との間に静電容量を形成する複数のタッチ検出電極と、指示具が前記タッチ検出電極に接触又は近接したか否かを検出するタッチ検出動作時に、前記駆動電極にタッチ検出駆動信号を印加する動作駆動部と、前記タッチ検出動作時に、前記タッチ検出電極から検出されるタッチ検出信号に基づいて、前記タッチ検出電極に接触又は近接する前記指示具の位置を検出するタッチ検出部と、を備え、複数の前記駆動電極は、３つ以上の前記駆動電極を含み、該各駆動電極は電気的に接続されて構成された複数の駆動信号印加ブロックに分けられ、該駆動信号印加ブロックは、前記所定方向の端部側の少なくとも１つの前記駆動電極が、隣接する駆動信号印加ブロックの前記所定方向の端部側の少なくとも１つの前記駆動電極と、前記駆動電極の並び順が入れ替わって配設された駆動ブロック重畳部を有し、前記動作駆動部は、前記駆動信号印加ブロックごとに順次、前記タッチ検出駆動信号を印加する。
【００１２】
本開示に係るタッチ検出機能付き表示装置は、上記に記載のタッチ検出装置と、画素に表示動作をさせるための画素信号が印加される複数の画素電極と、該画素電極に前記画素信号を印加して前記表示動作を実行する表示駆動部と、を備え、前記動作駆動部は、前記表示動作時に、前記駆動電極に前記画素信号と同期した表示駆動信号を印加する。
【００１３】
本開示に係る電子機器は、上記に記載のタッチ検出機能付き表示装置と、該タッチ検出機能付き表示装置によって検出された操作に対応した処理を実行し、かつ、該タッチ検出機能付き表示装置に映像信号を供給する制御装置と、を備える。
【発明の効果】
【００１４】
本開示に係るタッチ検出装置、タッチ検出機能付き表示装置、及び電子機器は、複数の駆動電極で構成された駆動信号印加ブロックごとに順次、タッチ検出駆動信号を印加することによって画面全体を走査する時間を短縮させ、駆動信号印加ブロックの重畳部分である駆動ブロック重畳部を形成することによって位置検出の精度の低下を抑制することができる。
【図面の簡単な説明】
【００１５】
【図１】図１は、本開示の実施形態１に係るタッチ検出機能付き表示装置の構成例を示すブロック図である。
【図２】図２は、静電容量式のタッチ検出動作の基本原理を説明するにあたって指が接触又は近接していない状態を示す説明図である。
【図３】図３は、図２に示す指が接触又は近接していない状態を表す等価回路の例を示す図である。
【図４】図４は、静電容量式のタッチ検出動作の基本原理を説明するにあたって指が接触又は近接している状態を示す説明図である。
【図５】図５は、図４に示す指が接触又は近接している状態を表す等価回路の例を示す図である。
【図６】図６は、指示具が接触又は近接した場合としていない場合における駆動信号及びタッチ検出信号の波形の例を示す図である。
【図７】図７は、本開示の実施形態１のタッチ検出機能付き表示デバイスの概略断面図である。
【図８】図８は、本開示の実施形態１のタッチ検出機能付き表示デバイスの液晶表示デバイスにおける画素配列を示す回路図である。
【図９】図９は、本開示の実施形態１のタッチ検出機能付き表示デバイスの駆動電極及びタッチ検出電極の構成例を示す斜視図である。
【図１０】図１０は、本開示の実施形態１に係るタッチ検出機能付き表示装置の表示動作期間とタッチ検出期間との関係を示す図である。
【図１１】図１１は、本開示の実施形態１の表示動作における駆動電極ドライバの動作例を示す図である。
【図１２】図１２は、本開示の実施形態１の表示動作における駆動電極ドライバの動作例を示す図である。
【図１３】図１３は、本開示の実施形態１の表示動作における駆動電極ドライバの動作例を示す図である。
【図１４】図１４は、本開示の実施形態１に係るタッチ検出機能付き表示装置の表示動作期間における各信号のタイミングの例を示す図である。
【図１５】図１５は、本開示の実施形態１のタッチ検出デバイスにおいて３本の駆動電極で構成される場合の駆動信号印加ブロックの設定動作及び構成を説明する図である。
【図１６】図１６は、図１５に示す各駆動信号印加ブロックを構成する駆動電極にタッチ検出駆動信号が印加される状態を示す図である。
【図１７】図１７は、本開示の実施形態１のタッチ検出動作における駆動電極ドライバの動作例を示す図である。
【図１８】図１８は、本開示の実施形態１のタッチ検出動作における駆動電極ドライバの動作例を示す図である。
【図１９】図１９は、本開示の実施形態１のタッチ検出動作における駆動電極ドライバの動作例を示す図である。
【図２０】図２０は、本開示の実施形態１に係るタッチ検出機能付き表示装置のタッチ検出期間における各信号のタイミングの例を示す図である。
【図２１】図２１は、本開示の実施形態１の変形例１のタッチ検出デバイスにおいて４本の駆動電極で構成される場合の駆動信号印加ブロックの設定動作及び構成を説明する図である。
【図２２】図２２は、図２１に示す各駆動信号印加ブロックを構成する駆動電極にタッチ検出駆動信号が印加される状態を示す図である。
【図２３】図２３は、本開示の実施形態１の変形例２のタッチ検出デバイスにおいて１０本の駆動電極で構成される場合において各駆動信号印加ブロックを構成する駆動電極にタッチ検出駆動信号が印加される状態を示す図である。
【図２４】図２４は、本開示の実施形態１の変形例３のタッチ検出機能付き表示デバイスの概略断面図である。
【図２５】図２５は、本開示の実施形態２のタッチ検出デバイスにおいて３本のタッチ検出信号検出ブロックの設定動作及び構成を説明する図である。
【図２６】図２６は、本開示の実施形態２の変形例のタッチ検出デバイスにおいて４本のタッチ検出信号検出ブロックの設定動作及び構成を説明する図である。
【図２７】図２７は、本開示の実施形態３に係る電子機器としてのテレビジョン装置にタッチ検出機能付き表示装置を適用した例を示す図である。
【図２８】図２８は、本開示の実施形態３に係る電子機器としてのデジタルカメラにタッチ検出機能付き表示装置を適用した例を示す図であり、当該デジタルカメラの前面斜視図である。
【図２９】図２９は、本開示の実施形態３に係る電子機器としてのデジタルカメラにタッチ検出機能付き表示装置を適用した例を示す図であり、当該デジタルカメラの背面斜視図である。
【図３０】図３０は、本開示の実施形態３に係る電子機器としてのビデオカメラにタッチ検出機能付き表示装置を適用した例を示す図である。
【図３１】図３１は、本開示の実施形態３に係る電子機器としてのノート型パーソナルコンピュータにタッチ検出機能付き表示装置を適用した例を示す図である。
【図３２】図３２は、本開示の実施形態３に係る電子機器としての携帯電話にタッチ検出機能付き表示装置を適用した例を示す図であり、上側筐体と下側筐体とを開いた状態の正面図である。
【図３３】図３３は、本開示の実施形態３に係る電子機器としての携帯電話にタッチ検出機能付き表示装置を適用した例を示す図であり、上側筐体と下側筐体とを開いた状態の側面図である。
【図３４】図３４は、本開示の実施形態３に係る電子機器としての携帯電話にタッチ検出機能付き表示装置を適用した例を示す図であり、上側筐体と下側筐体とを閉じた状態の正面図である。
【図３５】図３５は、本開示の実施形態３に係る電子機器としての携帯電話にタッチ検出機能付き表示装置を適用した例を示す図であり、上側筐体と下側筐体とを閉じた状態の左側面図である。
【図３６】図３６は、本開示の実施形態３に係る電子機器としての携帯電話にタッチ検出機能付き表示装置を適用した例を示す図であり、上側筐体と下側筐体とを閉じた状態の右側面図である。
【図３７】図３７は、本開示の実施形態３に係る電子機器としての携帯電話にタッチ検出機能付き表示装置を適用した例を示す図であり、上側筐体と下側筐体とを閉じた状態の連結部側の側面図である。
【図３８】図３８は、本開示の実施形態３に係る電子機器としての携帯電話にタッチ検出機能付き表示装置を適用した例を示す図であり、上側筐体と下側筐体とを閉じた状態の開閉部側の側面図である。
【発明を実施するための形態】
【００１６】
本開示の実施形態につき、図面を参照しつつ、次に示す順序で詳細に説明する。
１．実施形態１
２．実施形態２
３．実施形態３
４．本開示の構成
【００１７】
［１．実施形態１］
（タッチ検出機能付き表示装置１の全体構成）
図１は、本開示の実施形態１に係るタッチ検出機能付き表示装置の構成例を示すブロック図である。図１を参照しながら、本実施形態に係るタッチ検出機能付き表示装置１の全体構成について説明する。また、図１で示されるタッチ検出機能付き表示装置１は、表示画素として液晶表示画素を用いており、その液晶表示画素によって構成された液晶表示デバイス２０と静電容量式のタッチ検出デバイス３０とを一体化した、いわゆるインセルタイプの装置である。
【００１８】
図１に示すように、本実施形態に係るタッチ検出機能付き表示装置１は、タッチ検出機能付き表示デバイス１０と、制御部１１と、ゲートドライバ１２と、ソースドライバ１３（表示駆動部）と、駆動電極ドライバ１４（動作駆動部）と、タッチ検出部４０と、を備える。
【００１９】
タッチ検出機能付き表示デバイス１０は、タッチ検出機能を内蔵した表示デバイスである。このタッチ検出機能付き表示デバイス１０は、液晶表示デバイス２０と、タッチ検出デバイス３０とを有する。
【００２０】
液晶表示デバイス２０は、後述するように、ゲートドライバ１２から出力される走査信号Ｖｓｃａｎに従って、１水平ラインずつ順次走査して表示を行うデバイスである。タッチ検出デバイス３０は、後述するように、駆動電極ドライバ１４から出力されるタッチ検出駆動信号Ｖｃｏｍｔに従って、駆動信号印加ブロックずつ順次走査してタッチ検出動作を行うデバイスである。また、タッチ検出デバイス３０は、駆動信号印加ブロックごとに複数のタッチ検出電極ＴＤＬから、タッチ検出信号Ｖｄｅｔを出力し、タッチ検出部４０に供給するようになっている。
【００２１】
制御部１１は、外部から入力した映像信号Ｖｄｉｓｐに基づいて、ゲートドライバ１２、ソースドライバ１３、駆動電極ドライバ１４、及びタッチ検出部４０に対してそれぞれ制御信号を出力し、これらが互いに同期して動作するように制御する。
【００２２】
ゲートドライバ１２は、制御部１１から出力される制御信号に基づいて、タッチ検出機能付き表示デバイス１０の液晶表示デバイス２０の表示動作の対象となる１水平ラインを順次選択する機能を有する回路である。具体的には、ゲートドライバ１２は、走査信号線ＧＣＬを介して、走査信号Ｖｓｃａｎを、タッチ検出機能付き表示デバイス１０の液晶表示デバイス２０にマトリックス状に形成されている各画素Ｐｉｘ（後述）のうちの１行（１水平ライン）のＴＦＴ素子Ｔｒのゲートに印加することによって、１水平ラインずつ順次走査して全面表示させる。
【００２３】
ソースドライバ１３は、制御部１１から出力される制御信号に基づいて、タッチ検出機能付き表示デバイス１０の液晶表示デバイス２０の各画素Ｐｉｘに画素信号Ｖｐｉｘを出力する回路である。具体的には、ソースドライバ１３は、画素信号線ＳＧＬを介して画素信号Ｖｐｉｘを、ゲートドライバ１２によって順次選択される１水平ラインを構成する各画素Ｐｉｘにそれぞれ印加する。そして、１水平ラインを構成する各画素Ｐｉｘは、画素信号Ｖｐｉｘを印加することによって表示動作を実行する。
【００２４】
駆動電極ドライバ１４は、制御部１１から出力される制御信号に基づいて、タッチ検出機能付き表示デバイス１０の駆動電極ＣＯＭＬに対して、表示動作時には、表示駆動信号Ｖｃｏｍｄを印加し、タッチ検出動作時には、タッチ検出駆動信号Ｖｃｏｍｔを印加する回路である。
【００２５】
タッチ検出部４０は、制御部１１から出力される制御信号、及びタッチ検出デバイス３０のタッチ検出電極ＴＤＬから出力されるタッチ検出信号Ｖｄｅｔに基づいて、タッチ検出期間において、タッチ検出デバイス３０に対して指示具（指又はスタイラス等）が接触又は近接されたか否かを検出する。また、タッチ検出部４０は、指示具の接触又は近接が検出（以下、単にタッチ検出という）された場合において、タッチ検出された領域の座標等を求める回路である。このタッチ検出部４０は、信号増幅部４２と、Ａ／Ｄ変換部４３と、信号処理部４４と、座標抽出部４５と、ノイズ検出部４６と、検出タイミング制御部４７とを有している。
【００２６】
信号増幅部４２は、タッチ検出デバイス３０のタッチ検出電極ＴＤＬから出力されたタッチ検出信号Ｖｄｅｔを増幅する回路である。なお、信号増幅部４２は、タッチ検出信号Ｖｄｅｔに含まれる高い周波数成分（ノイズ成分）を除去する低域通過アナログフィルタを備えてもよい。
【００２７】
Ａ／Ｄ変換部４３は、適正なタイミングで、信号増幅部４２から出力されるアナログ信号をそれぞれサンプリングしてデジタル信号に変換する回路である。例えば、Ａ／Ｄ変換部４３は、タッチ検出期間において、タッチ検出駆動信号Ｖｃｏｍｔに同期したタイミング、又は、そのタイミングよりも高い周波数のサンプリング周波数によって、信号増幅部４２から出力されるアナログ信号をサンプリングしてデジタル信号に変換するものとすればよい。
【００２８】
なお、タッチ検出部４０は、信号増幅部４２から出力されたアナログ信号をＡ／Ｄ変換部４３に対してデジタル信号に変換させるものとしているが、これに限定されるものではない。すなわち、タッチ検出部４０は、Ａ／Ｄ変換部４３の機能に相当するＡ／Ｄ変換後のデジタル信号に対して、信号増幅部４２の機能に相当するフィルタ処理を実行させるものとしてもよい。
【００２９】
信号処理部４４は、タッチ検出期間において、Ａ／Ｄ変換部４３から出力された信号に基づいて、タッチ検出デバイス３０に対するタッチ検出の有無を判定する回路である。
【００３０】
座標抽出部４５は、タッチ検出期間において、信号処理部４４によってタッチ検出された場合に、タッチ検出された領域の座標を求めて、その座標データを出力信号Ｏｕｔとして出力する回路である。
【００３１】
ノイズ検出部４６は、信号処理部４４から出力される信号にノイズが含まれている場合、制御部１１にノイズ報知信号を出力する。
【００３２】
検出タイミング制御部４７は、タッチ検出部４０を構成する各回路が同期して動作するように制御する。
【００３３】
なお、タッチ検出電極ＴＤＬ、該タッチ検出電極ＴＤＬからタッチ検出信号Ｖｄｅｔを検出するタッチ検出部４０、駆動電極ＣＯＭＬ、及び、該駆動電極ＣＯＭＬにタッチ検出駆動信号Ｖｃｏｍｔを印加する駆動電極ドライバ１４を含む構成部分は、本発明の「タッチ検出装置」に相当する。
【００３４】
（静電容量式のタッチ検出動作の基本原理）
図２は、静電容量式のタッチ検出動作の基本原理を説明するにあたって指が接触又は近接していない状態を示す説明図である。図３は、図２に示す指が接触又は近接していない状態を表す等価回路の例を示す図である。図４は、静電容量式のタッチ検出動作の基本原理を説明するにあたって指が接触又は近接している状態を示す説明図である。図５は、図４に示す指が接触又は近接している状態を表す等価回路の例を示す図である。そして、図６は、指示具が接触又は近接した場合としていない場合における駆動信号及びタッチ検出信号の波形の例を示す図である。図２〜図６を参照しながら、本実施形態のタッチ検出機能付き表示装置１におけるタッチ検出動作の基本原理について説明する。
【００３５】
本実施形態のタッチ検出機能付き表示装置１におけるタッチ検出動作の方式としては、静電容量式によって具現化されるものであり、例えば、図２及び図４に示すように、容量素子Ｃ１は、誘電体Ｄを挟んで互いに対向配置された一対の電極（駆動電極Ｅ１及びタッチ検出電極Ｅ２）を備えている。図３に示すように、容量素子Ｃ１は、その一端が交流信号源Ｓに接続され、他端は電圧検出器ＤＥＴに接続される。電圧検出器ＤＥＴは、例えば、図１に示す信号増幅部４２に含まれる積分回路である。
【００３６】
交流信号源Ｓから駆動電極Ｅ１に所定の周波数（例えば、数ｋＨｚ〜数百ｋＨｚ程度の周波数）の交流矩形波Ｓｇが印加されると、タッチ検出電極Ｅ２側に接続された電圧検出器ＤＥＴを介して、図６に示す出力波形であるタッチ検出信号Ｖｄｅｔが現れる。なお、交流信号源Ｓから出力される交流矩形波Ｓｇは、駆動電極ドライバ１４が出力するタッチ検出駆動信号Ｖｃｏｍｔ（後述）に相当する。また、駆動電極Ｅ１は、駆動電極ＣＯＭＬに相当し、タッチ検出電極Ｅ２は、タッチ検出電極ＴＤＬに相当する。
【００３７】
図２に示した指がタッチ検出電極Ｅ２に接触又は近接していない状態では、容量素子Ｃ１に対する充放電に伴って、図３に示すように、容量素子Ｃ１の静電容量に応じた電流Ｉ０が流れる。図３に示す電圧検出器ＤＥＴは、交流矩形波Ｓｇに応じた電流Ｉ０の変動を電圧の変動（図６に示す実線の波形Ｖ０）に変換する。
【００３８】
一方、図４に示すように、指がタッチ検出電極Ｅ２に接触又は近接した状態では、駆動電極Ｅ１及びタッチ検出電極Ｅ２の端部からはみ出した電界に基づくフリンジ容量が、指の静電容量Ｃ２として吸収される。その結果、容量素子Ｃ１は、元の容量値よりも容量値が小さい容量素子Ｃ１ａに変化する。そして、容量素子Ｃ１ａに対する充放電に伴って、図５に示すように、容量素子Ｃ１ａの静電容量に応じた電流Ｉ1が流れる。図５に示す電圧検出器ＤＥＴは、交流矩形波Ｓｇに応じた電流Ｉ1の変動を電圧の変動（図６に示す点線の波形Ｖ１）に変換する。
【００３９】
波形Ｖ１は、図６に示すように、上述した波形Ｖ０と比べて振幅が小さくなる。これによって、波形Ｖ０と波形Ｖ１との電圧差分ΔＶの絶対値｜ΔＶ｜は、外部から接近する指示具（指、スタイラス等）の影響に応じて変化することになる。なお、電圧検出器ＤＥＴは、電圧差分ΔＶの絶対値｜ΔＶ｜を精度よく検出するため、スイッチング素子によって、交流矩形波Ｓｇの周波数に合わせて、コンデンサに蓄えられた電荷を放電する期間Ｒｅｓｅｔを設けた動作とすることがより好ましい。
【００４０】
そして、Ａ／Ｄ変換部４３は、適正なタイミングで、信号増幅部４２から出力される絶対値｜ΔＶ｜のアナログ信号をそれぞれサンプリングしてデジタル信号に変換する。信号処理部４４は、Ａ／Ｄ変換部４３から出力された絶対値｜ΔＶ｜のデータ（デジタル信号）を平均化する演算を行い、例えば、絶対値｜ΔＶ｜の平均値を算出する。これによって、信号処理部４４は、絶対値｜ΔＶ｜についてノイズによる影響を低減することができる。そして、信号処理部４４は、算出した絶対値｜ΔＶ｜の平均値を所定の閾値電圧Ｖｔｈと比較し、この閾値電圧Ｖｔｈ以上であれば、指示具が接触又は近接している状態と判定し、閾値電圧Ｖｔｈ未満であれば、指示具が接触又は近接していない状態と判定する。このようにして、タッチ検出動作が可能となる。
【００４１】
（タッチ検出機能付き表示デバイス１０の構成例）
図７は、本実施形態のタッチ検出機能付き表示デバイスの概略断面図である。図８は、本実施形態のタッチ検出機能付き表示デバイスの液晶表示デバイスにおける画素配列を示す回路図である。そして、図９は、本実施形態のタッチ検出機能付き表示デバイスの駆動電極及びタッチ検出電極の構成例を示す斜視図である。図７〜図９を参照しながら、タッチ検出機能付き表示デバイス１０の構成例について説明する。
【００４２】
図７に示すように、タッチ検出機能付き表示デバイス１０は、画素基板２と、画素基板２に対向して配置された対向基板３と、画素基板２と対向基板３との間に挿設された液晶層６とを備えている。
【００４３】
画素基板２は、回路基板としてのＴＦＴ基板２１と、ＴＦＴ基板２１上にマトリックス状に配設され、ＩＴＯ（Ｉｎｄｉｕｍ  Ｔｉｎ  Ｏｘｉｄｅ、酸化インジウムスズ）等で形成された透明電極である複数の画素電極２２とを有する。また、ＴＦＴ基板２１には、図８に示す各画素ＰｉｘのＴＦＴ（Ｔｈｉｎ  Ｆｉｌｍ  Ｔｒａｎｓｉｓｔｏｒ、薄膜トランジスタ）素子Ｔｒ、各画素電極２２に画素信号Ｖｐｉｘを供給する画素信号線ＳＧＬ、各ＴＦＴ素子Ｔｒを駆動する走査信号線ＧＣＬ等の配線が形成されている。図８に示すように、液晶表示デバイス２０は、マトリックス状に配列した複数の画素Ｐｉｘを有している。液晶表示デバイス２０は、後述するように、ゲートドライバ１２から出力される走査信号Ｖｓｃａｎに従って、１水平ラインずつ順次走査して表示動作を行うデバイスである。
【００４４】
画素Ｐｉｘは、ＴＦＴ素子Ｔｒ及び液晶素子ＬＣを備えている。ＴＦＴ素子Ｔｒのソースは画素信号線ＳＧＬに接続され、ゲートは走査信号線ＧＣＬに接続され、そして、ドレインは画素電極２２に接続されている。また、対向する画素電極２２と駆動電極ＣＯＭＬとの間には、液晶素子ＬＣが介在している。
【００４５】
図８に示すように、画素Ｐｉｘは、走査信号線ＧＣＬによって、液晶表示デバイス２０の同じ行に属する他の画素Ｐｉｘと互いに接続され、画素信号線ＳＧＬによって、液晶表示デバイス２０の同じ列に属する他の画素Ｐｉｘと互いに接続されている。走査信号線ＧＣＬは、ゲートドライバ１２に接続され、ゲートドライバ１２から走査信号Ｖｓｃａｎが供給される。画素信号線ＳＧＬは、ソースドライバ１３に接続され、ソースドライバ１３から画素信号Ｖｐｉｘが供給される。さらに、画素Ｐｉｘは、駆動電極ＣＯＭＬによって、液晶表示デバイス２０の同じ行に属する他の画素Ｐｉｘと互いに接続されている。駆動電極ＣＯＭＬは、駆動電極ドライバ１４に接続され、駆動電極ドライバ１４から駆動信号Ｖｃｏｍが供給される。また、駆動電極ＣＯＭＬは、図示しないコンタクト導電柱を介して、駆動電極ドライバ１４から交流矩形波形の駆動信号Ｖｃｏｍ（後述する表示駆動信号Ｖｃｏｍｄ及びタッチ検出駆動信号Ｖｃｏｍｔ）が印加されるようになっている。
【００４６】
以上のような液晶表示デバイス２０の構成において、表示動作が実行される際、ゲートドライバ１２が走査信号線ＧＣＬに対して時分割的に走査信号Ｖｓｃａｎにより順次走査をすることによって、１水平ラインが順次選択される。また、液晶表示デバイス２０において、１水平ラインに属する画素Ｐｉｘに対して、ソースドライバ１３が画素信号Ｖｐｉｘを供給することにより、１水平ラインずつ表示動作が実行される。この表示動作が実行される際、駆動電極ドライバ１４は、１水平ラインに対応する駆動電極ＣＯＭＬを含む駆動信号印加ブロックに対して表示駆動信号Ｖｃｏｍｄを印加するようになっている。
【００４７】
対向基板３は、ガラス基板３１と、ガラス基板３１の液晶層６側の面に配設されたカラーフィルタ３２と、カラーフィルタ３２の液晶層６側の面に配設された複数の駆動電極ＣＯＭＬとを含む。さらに、対向基板３は、ガラス基板３１の液晶層６側とは反対側の面に配設された複数のタッチ検出電極ＴＤＬと、タッチ検出電極ＴＤＬの液晶層６側とは反対側に配設された偏光板３５とを含む。図９に示すように、タッチ検出デバイス３０は、対向基板３に設けられた、ストライプ状に並設された複数の駆動電極ＣＯＭＬと、駆動電極ＣＯＭＬに対向し、かつ、駆動電極ＣＯＭＬと直交する方向に延在し、かつ、ストライプ状に並設された複数のタッチ検出電極ＴＤＬとを含む。タッチ検出デバイス３０は、後述するように、駆動電極ドライバ１４から出力されるタッチ検出駆動信号Ｖｃｏｍｔに従って、駆動信号印加ブロックずつ順次走査してタッチ検出動作を行うデバイスである。
【００４８】
カラーフィルタ３２は、例えば、赤（Ｒ）、緑（Ｇ）及び青（Ｂ）の３色のカラーフィルタ層を規則的に配列して、上述した図８に示す各画素ＰｉｘにＲ、Ｇ及びＢの３色のうちいずれかが対応付けられている。
【００４９】
駆動電極ＣＯＭＬは、液晶表示デバイス２０の駆動電極として機能するとともに、タッチ検出デバイス３０の駆動電極としても機能する。このような構成を用いることによって、タッチ検出機能付き表示デバイス１０の薄型化を図ることができ、かつ、液晶表示デバイス２０とタッチ検出デバイス３０の同期をとることが容易になる。１つの駆動電極ＣＯＭＬは、１水平ラインに配置される複数の画素電極２２に対向するように配置されている。
【００５０】
タッチ検出電極ＴＤＬは、それぞれタッチ検出部４０の信号増幅部４２に接続されており、駆動電極ＣＯＭＬとの各交差部分に静電容量を有している。
【００５１】
偏光板３５は、図示しないバックライトから出射される光のうち、特定の振動方向の光のみを通過させる板状部材である。この偏光板３５は、例えば、ＰＶＡ（Ｐｏｌｙｖｉｎｙｌ  Ａｌｃｏｈｏｌ）膜等にヨウ素を吸着させて引き延ばして作成された偏光膜が、両面側からＴＡＣ（Ｔｒｉａｃｅｔｙｌｃｅｌｌｕｌｏｓｅ）フィルム等の保護フィルムで挟まれた構造を有している。また、バックライトは、タッチ検出機能付き表示デバイス１０の画素基板２側に配置され、タッチ検出機能付き表示デバイス１０に対して均一な光を出射する光源部材である。このバックライトとして、例えば、反射板に配置された冷陰極管又は熱陰極管に拡散板、プリズムシート及び拡散シートを積層させて一体構造としたものを採用することができる。あるいは、アクリル等の樹脂板である導光板の側面に発光ダイオード（ＬＥＤ）を配置して構成したエッジライト構造を有するものを採用するものとしてもよい。
【００５２】
以上のようなタッチ検出デバイス３０の構成において、タッチ検出動作が実行される際、駆動電極ドライバ１４が後述する駆動信号印加ブロックＢ１〜Ｂｍを時分割的にタッチ検出駆動信号Ｖｃｏｍｔにより順次走査をして駆動することによって、タッチ検出されるブロックが順次選択される。そして、タッチ検出部４０は、タッチ検出電極ＴＤＬからタッチ検出信号Ｖｄｅｔを入力し、選択されたブロックのタッチ検出の有無を判断する。すなわち、タッチ検出デバイス３０及びタッチ検出部４０は、上述したタッチ検出動作の基本原理に従って、タッチ検出動作を実行する。
【００５３】
液晶層６は、電界の状態に応じて、通過する光を旋光又は複屈折等させる層である。液晶層６における液晶の駆動方式として、例えば、ＴＮ（Ｔｗｉｓｔｅｄ  Ｎｅｍａｔｉｃ）モード、ＶＡ（Ｖｉｒｔｉｃａｌ  Ａｌｉｇｎｍｅｎｔ）モード、又はＯＣＢ（Ｏｐｔｉｃａｌｌｙ  Ｃｏｍｐｅｎｓａｔｅｄ  Ｂｅｎｄ）モード等の各種駆動方式が用いられる。
【００５４】
なお、液晶層６と画素基板２との間、及び液晶層６と対向基板３との間には、それぞれ図示しない配向膜が配設されている。また、画素基板２の複数の画素電極２２が配設された面側とは反対側の面に、入射側偏光板が配設されてもよい。配向膜は、液晶層６の各液晶の分子を一定の方向に配向させる膜である。この配向膜は、樹脂であるポリイミド膜に対してナイロン等の布が巻かれたローラーによって一定方向に擦るラビング処理、又は、ポリイミド膜に対して紫外線を照射することによって異方性を誘起させる光配向処理によって形成される。
【００５５】
（全体動作の概要）
図１０は、本開示の実施形態１に係るタッチ検出機能付き表示装置の表示動作期間とタッチ検出期間との関係を示す図である。図１０を参照しながら、本実施形態に係るタッチ検出機能付き表示装置１の全体動作の概要を説明する。
【００５６】
図１０に示すように、１フレーム期間（１Ｆ）は、表示動作期間Ｐｄ及びタッチ検出期間Ｐｔによって構成されている。すなわち、タッチ検出期間Ｐｔは、表示動作における垂直ブランキング期間に配置されている。タッチ検出機能付き表示装置１は、表示動作期間Ｐｄにおいて、タッチ検出機能付き表示デバイス１０上の画面ＧＳ（後述の図１１〜図１３参照）における表示動作を実行し、タッチ検出期間Ｐｔにおいて、画面ＧＳにおけるタッチ検出動作を実行する。すなわち、タッチ検出機能付き表示装置１は、表示動作期間Ｐｄにおける表示動作、及び、タッチ検出期間Ｐｔにおけるタッチ検出動作を時分割的に交互に繰り返し実行する。また、タッチ検出機能付き表示装置１は、各表示動作期間Ｐｄにおいて、画面ＧＳに対して１画面分の表示動作を実行し、各タッチ検出期間Ｐｔにおいて、画面ＧＳに対して１画面分のタッチ検出動作を実行する。
【００５７】
まず、制御部１１は、外部から入力された映像信号Ｖｄｉｓｐに基づいて、ゲートドライバ１２、ソースドライバ１３、駆動電極ドライバ１４、及びタッチ検出部４０に対してそれぞれ制御信号を出力し、これらが互いに同期して動作するように制御する。また、制御部１１は、表示動作期間Ｐｄにおける表示動作、及び、タッチ検出期間Ｐｔにおけるタッチ検出動作の時分割的な実行を制御する。
【００５８】
ゲートドライバ１２は、表示動作期間Ｐｄにおいて、液晶表示デバイス２０の所定の本数の走査信号線ＧＣＬに走査信号Ｖｓｃａｎを出力し、液晶表示デバイス２０にマトリクス状に配設されている画素Ｐｉｘのうち表示動作の対象となる１水平ラインを順次選択する。また、ソースドライバ１３は、表示動作期間Ｐｄにおいて、ゲートドライバ１２によって選択された１水平ラインを構成する各画素Ｐｉｘに、画素信号線ＳＧＬを介して画素信号Ｖｐｉｘを出力する。これらの画素Ｐｉｘにおいては、供給される画素信号Ｖｐｉｘに応じて、１水平ラインの表示動作が実行されるようになっている。そして、駆動電極ドライバ１４は、表示動作期間Ｐｄにおいて、ゲートドライバ１２によって選択された１水平ラインに対応する所定の本数の駆動電極ＣＯＭＬにより構成された駆動信号印加ブロックＡ１〜Ａｎ（後述）に順次、表示駆動信号Ｖｃｏｍｄを印加する。このように、タッチ検出機能付き表示デバイス１０は、表示動作期間Ｐｄにおいて、ゲートドライバ１２、ソースドライバ１３、及び駆動電極ドライバ１４によって出力された各信号に基づいて、表示動作を実行する。
【００５９】
また、駆動電極ドライバ１４は、タッチ検出期間Ｐｔにおいて、所定の本数の駆動電極ＣＯＭＬにより構成される駆動信号印加ブロックＢ１〜Ｂｍに順次、タッチ検出駆動信号Ｖｃｏｍｔを印加することによって、タッチ検出されるブロックを順次選択する。タッチ検出デバイス３０のタッチ検出電極ＴＤＬは、駆動電極ＣＯＭＬに印加されたタッチ検出駆動信号Ｖｃｏｍｔによって発生するタッチ検出信号Ｖｄｅｔを出力する。
【００６０】
信号増幅部４２は、タッチ検出期間Ｐｔにおいて、タッチ検出電極ＴＤＬから出力されたタッチ検出信号Ｖｄｅｔを増幅し、タッチ検出信号Ｖｄｅｔに含まれる高い周波数成分（ノイズ成分）を除去する。Ａ／Ｄ変換部４３は、タッチ検出期間Ｐｔにおいて、信号増幅部４２から出力されるアナログ信号をそれぞれサンプリングしてデジタル信号に変換する。具体的には、Ａ／Ｄ変換部４３は、タッチ検出駆動信号Ｖｃｏｍｔに同期したタイミング、又は、そのタイミングよりも高い周波数のサンプリング周波数によって、信号増幅部４２から出力されるアナログ信号をサンプリングしてデジタル信号に変換する。信号処理部４４は、タッチ検出期間Ｐｔにおいて、Ａ／Ｄ変換部４３から出力されたデジタル信号に基づいて、タッチ検出デバイス３０に対するタッチ検出の有無を判定する。座標抽出部４５は、タッチ検出期間Ｐｔにおいて、信号処理部４４によってタッチ検出された場合に、信号処理部４４から入力したデジタル信号に基づいて、タッチ検出された領域の座標を求めて、その座標データを出力信号Ｏｕｔとして出力する。検出タイミング制御部４７は、信号増幅部４２、Ａ／Ｄ変換部４３、信号処理部４４、座標抽出部４５及びノイズ検出部４６が同期して動作するように制御する。このように、タッチ検出機能付き表示デバイス１０及びタッチ検出部４０は、タッチ検出期間Ｐｔにおいて、タッチ検出電極ＴＤＬから出力されたタッチ検出信号Ｖｄｅｔに基づいて、タッチ検出動作を実行する。
【００６１】
なお、タッチ検出機能付き表示装置１は、各期間において、画面ＧＳの１画面分についての動作を実行するものとしたが、これに限定されるものではない。例えば、タッチ検出機能付き表示装置１は、画面ＧＳの１画面分以上、又は１画面分以下の動作を実行するものとしてもよい。
【００６２】
また、タッチ検出動作が実行されるタッチ検出期間Ｐｔにおいて、液晶表示デバイス２０には、表示動作を実行するための各種信号（走査信号Ｖｓｃａｎ及び画素信号Ｖｐｉｘ）は出力されない。したがって、タッチ検出期間Ｐｔにおいて、画素基板２に配設された図示しない走査信号線ＧＣＬ及び画素信号線ＳＧＬは、フローティング状態、又は、直流電位が印加された状態になる。これによって、走査信号線ＧＣＬ及び画素信号線ＳＧＬからタッチ検出電極ＴＤＬへ、寄生容量を介してノイズが伝わる可能性を低減することができる。すなわち、本実施形態に係るタッチ検出機能付き表示装置１においては、内部ノイズがタッチ検出動作に与える影響を低減することができる。
【００６３】
（表示動作期間Ｐｄにおける表示動作）
図１１〜図１３は、本開示の実施形態１の表示動作における駆動電極ドライバの動作例を示す図である。図１４は、本開示の実施形態１に係るタッチ検出機能付き表示装置の表示動作期間における各信号のタイミングの例を示す図である。図１１〜図１４を参照しながら、本実施形態に係るタッチ検出機能付き表示装置１の表示動作期間Ｐｄにおける表示動作について説明する。
【００６４】
図１４は、表示駆動信号Ｖｃｏｍｄの波形と、走査信号Ｖｓｃａｎの波形と、画素信号Ｖｐｉｘの波形と、を示している。また、図１４は、１フレーム期間（１Ｆ）の表示動作期間Ｐｄにおける表示動作をライン反転駆動によって実現する場合の例を示している。以下、画面ＧＳの駆動信号印加ブロックＡ１〜Ａｎのうち、図１１に示す特定の駆動信号印加ブロックＡ１を駆動対象とした場合として説明する。また、図１４に示すｈは、マトリックス状に形成されている画素Ｐｉｘのうちの特定の行（ｈ行目）の１水平ラインを示している。
【００６５】
タイミングｔ１において、駆動電極ドライバ１４は、駆動信号印加ブロックＡ１に属する駆動電極ＣＯＭＬに対して表示駆動信号Ｖｃｏｍｄを印加し、その電圧レベルを低レベルから高レベルに変化させる。この表示駆動信号Ｖｃｏｍｄの電圧レベルの変化点から１水平期間（１Ｈ）が開始される。
【００６６】
次に、タイミングｔ２において、ゲートドライバ１２は、駆動信号印加ブロックＡ１に含まれる（ｈ−１）行目の１水平ラインの複数の画素Ｐｉｘに対応する走査信号線ＧＣＬに対して走査信号Ｖｓｃａｎ（ｈ−１）を印加し、その電圧レベルを低レベルから高レベルに変化させる。また、同じタイミングｔ２において、ソースドライバ１３は、画素信号線ＳＧＬに対して画素信号Ｖｐｉｘを印加し、その電圧レベルを高レベルから低レベルに変化させ、（ｈ−１）行目の１水平ラインの複数の画素Ｐｉｘにおける表示動作を開始する。
【００６７】
次に、タイミングｔ３において、ゲートドライバ１２は、（ｈ−１）行目の１水平ラインの複数の画素Ｐｉｘに対応する走査信号線ＧＣＬに印加している走査信号Ｖｓｃａｎ（ｈ−１）の電圧レベルを高レベルから低レベルに変化させる。これによって、（ｈ−１）行目の１水平ラインの複数の画素Ｐｉｘにおける表示動作が終了する。
【００６８】
次に、タイミングｔ１１において、駆動電極ドライバ１４は、駆動信号印加ブロックＡ１に属する駆動電極ＣＯＭＬに対して表示駆動信号Ｖｃｏｍｄを印加し、その電圧レベルを高レベルから低レベルに変化させる。これによって、１水平期間（１Ｈ）が終了し、次の１水平期間（１Ｈ）が開始する。
【００６９】
次に、タイミングｔ１２において、ゲートドライバ１２は、駆動信号印加ブロックＡ１に含まれるｈ行目の１水平ラインの複数の画素Ｐｉｘに対応する走査信号線ＧＣＬに対して走査信号Ｖｓｃａｎ（ｈ）を印加し、その電圧レベルを低レベルから高レベルに変化させる。また、同じタイミングｔ１２において、ソースドライバ１３は、画素信号線ＳＧＬに対して画素信号Ｖｐｉｘを印加し、その電圧レベルを低レベルから高レベルに変化させ、ｈ行目の１水平ラインの複数の画素Ｐｉｘにおける表示動作を開始する。なお、本実施形態においては、タッチ検出機能付き表示装置１はライン反転駆動によって表示動作を実行するため、ソースドライバ１３が印加する画素信号Ｖｐｉｘは、直前の１水平期間（１Ｈ）と比較して、その極性が反転している。
【００７０】
次に、タイミングｔ１３において、ゲートドライバ１２は、ｈ行目の１水平ラインの複数の画素Ｐｉｘに対応する走査信号線ＧＣＬに印加している走査信号Ｖｓｃａｎ（ｈ）の電圧レベルを高レベルから低レベルに変化させる。これによって、ｈ行目の１水平ラインの複数の画素Ｐｉｘにおける表示動作が終了する。
【００７１】
本実施形態に係るタッチ検出機能付き表示装置１は、以上の動作を繰り返すことによって、画面ＧＳの駆動信号印加ブロックＡ１における表示動作を実行する。次に、図１２に示すように、駆動電極ドライバ１４は、次の１ブロック期間（１Ｂ）の表示動作期間Ｐｄで、駆動信号印加ブロックＡ２に属する駆動電極ＣＯＭＬに対して表示駆動信号Ｖｃｏｍｄを印加して、上述と同様の表示動作を実行する。次に、図１３に示すように、駆動電極ドライバ１４は、次の１ブロック期間（１Ｂ）の表示動作期間Ｐｄで、駆動信号印加ブロックＡ３に属する駆動電極ＣＯＭＬに対して表示駆動信号Ｖｃｏｍｄを印加して、上述と同様の表示動作を実行する。このように、タッチ検出機能付き表示装置１は、上述したように、表示駆動信号Ｖｃｏｍｄを印加するブロックを駆動信号印加ブロックＡ１から下側に順次シフトしつつ、各駆動信号印加ブロックＡ１〜Ａｎに対して上記の表示動作を実行することによって、画面ＧＳの全面に対する表示動作を実行する。
【００７２】
（タッチ検出期間Ｐｔにおけるタッチ検出動作）
図１５は、本開示の実施形態１のタッチ検出デバイスにおいて３本の駆動電極で構成される場合の駆動信号印加ブロックの設定動作及び構成を説明する図である。図１６は、図１５に示す各駆動信号印加ブロックを構成する駆動電極にタッチ検出駆動信号が印加される状態を示す図である。図１７〜図１９は、本開示の実施形態１のタッチ検出動作における駆動電極ドライバの動作例を示す図である。図２０は、本開示の実施形態１に係るタッチ検出機能付き表示装置のタッチ検出期間における各信号のタイミングの例を示す図である。図１５〜図２０を参照しながら、本実施形態に係るタッチ検出機能付き表示装置１のタッチ検出期間Ｐｔにおけるタッチ検出動作について説明する。
【００７３】
図１５に示すタッチ検出デバイス３０の駆動信号印加ブロックＢ１〜Ｂｍは、それぞれ３本の駆動電極ＣＯＭＬによって構成されている。また、駆動信号印加ブロックの並設方向の端部側の駆動電極ＣＯＭＬは、隣接する駆動信号印加ブロックの並設方向の端部側の駆動電極ＣＯＭＬと、並び順が入れ替わって配設されている。すなわち、互いに隣接する駆動信号印加ブロックの並設方向の端部側における一部の駆動電極ＣＯＭＬ（図１５においては１本の駆動電極ＣＯＭＬ）が入れ替わって配設された部分は、隣接する駆動信号印加ブロックが重畳した部分とみなすことができる。図１５に示すように、この重畳した部分を、駆動信号印加ブロックＢ１側から順に、ブロック重畳部Ｌ１、Ｌ２、・・・、Ｌｍ−１（駆動ブロック重畳部）と称するものとする。例えば、駆動信号印加ブロックＢ１と駆動信号印加ブロックＢ２との重畳部分がブロック重畳部Ｌ１に相当し、駆動信号印加ブロックＢｍ−１と駆動信号印加ブロックＢｍとの重畳部分がブロック重畳部Ｌｍ−１に相当する。なお、駆動信号印加ブロックＢ１、Ｂｍは、ブロック群の端部側に配置されたブロックなので、隣接するブロックは一方の端部側の１ブロックのみであり、重畳した部分もその端部側のみとなる。駆動電極ドライバ１４は、内部において各駆動電極ＣＯＭＬ同士の電気的な接続状態を任意に切り替えるスイッチング機能を有する。各駆動信号印加ブロックを構成する駆動電極ＣＯＭＬ１〜ＣＯＭＬｉは、駆動電極ドライバ１４内において、駆動電極ドライバ１４のスイッチング機能によって電気的に接続されることにより所定の電極パターン（同一の駆動信号印加ブロックに含まれる駆動電極ＣＯＭＬの数、及び、各駆動電極ＣＯＭＬ同士の配置間隔の形態）を形成する。
【００７４】
図２０は、タッチ検出駆動信号Ｖｃｏｍｔの波形と、タッチ検出信号Ｖｄｅｔの波形と、を示している。以下、画面ＧＳの駆動信号印加ブロックＢ１〜Ｂｍのうち、図１７に示す特定の駆動信号印加ブロックＢ１を駆動対象とした場合として説明する。
【００７５】
駆動電極ドライバ１４は、駆動信号印加ブロックＢ１に属する駆動電極ＣＯＭＬに対してタッチ検出駆動信号Ｖｃｏｍｔを印加する。具体的には、図１６に示すように、駆動信号印加ブロックＢ１に属する駆動電極ＣＯＭＬ１、ＣＯＭＬ２、ＣＯＭＬ４にタッチ検出駆動信号Ｖｃｏｍｔを印加する。ここで、図１６、並びに後述する図２２及び図２３に示す各駆動電極ＣＯＭＬにおける矩形波形は、実際のタッチ検出駆動信号Ｖｃｏｍｔの波形を示すものではなく、図２０に示すタッチ検出駆動信号Ｖｃｏｍｔが印加されている状態であることを示す。このタッチ検出駆動信号Ｖｃｏｍｔの周波数は、表示動作期間Ｐｄにおける表示駆動信号Ｖｃｏｍｄの周波数よりも高くすることが望ましい。
【００７６】
駆動信号印加ブロックＢ１に属する駆動電極ＣＯＭＬに印加されたタッチ検出駆動信号Ｖｃｏｍｔは、静電容量を介してタッチ検出電極ＴＤＬに伝わり、タッチ検出信号Ｖｄｅｔが変化する。
【００７７】
次に、タッチ検出部４０のＡ／Ｄ変換部４３は、タッチ検出駆動信号Ｖｃｏｍｔに同期したサンプリングタイミングｔｓ（図２０参照）（又は、そのサンプリングタイミングｔｓよりも高い周波数のサンプリング周波数）によって、信号増幅部４２により増幅されたタッチ検出信号Ｖｄｅｔであるアナログ信号をＡ／Ｄ変換する。
【００７８】
このように、タッチ検出期間Ｐｔにおけるタッチ検出駆動信号Ｖｃｏｍｔの周波数を、表示動作期間Ｐｄにおける表示駆動信号Ｖｃｏｍｄの周波数よりも高くし、かつ、Ａ／Ｄ変換部４３は、タッチ検出信号Ｖｄｅｔに対してタッチ検出駆動信号Ｖｃｏｍｔと同期したサンプリングタイミングｔｓ（又は、そのサンプリングタイミングｔｓよりも高い周波数のサンプリング周波数）でサンプリングしている。これによって、表示駆動信号Ｖｃｏｍｄを駆動信号印加ブロックＢ１に印加して、その表示駆動信号Ｖｃｏｍｄに同期したタイミングでタッチ検出信号Ｖｄｅｔをサンプリングする場合に比べて、高い周波数でサンプリングすることになるため、ノイズ成分を低減することができる。したがって、例えば、外部ノイズがタッチ検出デバイス３０に伝わる場合でも、この外部ノイズに起因してＡ／Ｄ変換部４３の出力に現れるノイズ成分を低減することができる。また、表示動作期間Ｐｄとタッチ検出期間Ｐｔとを分けて動作させているので、ノイズの低減に寄与する。すなわち、タッチ検出機能付き表示装置１において、外部ノイズがタッチ検出動作に与える影響を低減することができる。
【００７９】
次に、信号処理部４４は、Ａ／Ｄ変換部４３によってＡ／Ｄ変換されて出力されたデジタル信号に基づいて、画面ＧＳにおける駆動信号印加ブロックＢ１に対するタッチ検出の有無を判定する。このタッチ検出の有無を判定する方法は、例えば、図６において上述したように、閾値に基づいて判定する。
【００８０】
次に、図１８に示すように、駆動電極ドライバ１４は、次の１ブロック期間（１Ｂ）のタッチ検出期間Ｐｔで、駆動信号印加ブロックＢ２に属する駆動電極ＣＯＭＬ（駆動電極ＣＯＭＬ３、ＣＯＭＬ５、ＣＯＭＬ７）にタッチ検出駆動信号Ｖｃｏｍｔを印加する。そして、タッチ検出部４０は、上述のように、タッチ検出駆動信号Ｖｃｏｍｔによって変化したタッチ検出信号Ｖｄｅｔを検出し、このタッチ検出信号ＶｄｅｔをＡ／Ｄ変換したデジタル信号に基づいて、画面ＧＳにおける駆動信号印加ブロックＢ２に対するタッチ検出の有無を判定する。
【００８１】
以上のように、タッチ検出部４０による駆動信号印加ブロックＢ１、Ｂ２に対するタッチ検出の有無の判定の結果、駆動信号印加ブロックＢ１のみにおいてタッチ検出された場合、駆動信号印加ブロックＢ１及び駆動信号印加ブロックＢ２においてタッチ検出された場合、並びに、駆動信号印加ブロックＢ２のみにおいてタッチ検出された場合の駆動電極ＣＯＭＬの並設方向において３通りのタッチ検出の状態が判定される。ここで、駆動信号印加ブロックＢ１のみにおいてタッチ検出された場合とは、図１５及び図１６に示すように、駆動信号印加ブロックＢ１における駆動電極ＣＯＭＬ１または駆動電極ＣＯＭＬ２に相当する部分においてタッチ検出された場合を示す。すなわち、駆動電極ＣＯＭＬ１に矩形波形ｂ、駆動電極ＣＯＭＬ２に矩形波形ａで示されるタッチ検出駆動信号Ｖｃｏｍｔが印加された状態において、駆動電極ＣＯＭＬ１、ＣＯＭＬ２においてタッチ検出された場合を示す。
【００８２】
また、駆動信号印加ブロックＢ１及び駆動信号印加ブロックＢ２においてタッチ検出された場合とは、図１５及び図１６に示すように、駆動信号印加ブロックＢ１における駆動電極ＣＯＭＬ４及び駆動信号印加ブロックＢ２における駆動電極ＣＯＭＬ３に相当する部分、すなわち、ブロック重畳部Ｌ１においてタッチ検出された場合を示す。すなわち、駆動電極ＣＯＭＬ４に矩形波形ｂ、駆動電極ＣＯＭＬ３に矩形波形ｂで示されるタッチ検出駆動信号Ｖｃｏｍｔが印加された状態において、駆動電極ＣＯＭＬ３、ＣＯＭＬ４においてタッチ検出された場合を示す。
【００８３】
そして、駆動信号印加ブロックＢ２のみにおいてタッチ検出された場合とは、図１５及び図１６に示すように、駆動信号印加ブロックＢ２における駆動電極ＣＯＭＬ５に相当する部分においてタッチ検出された場合を示す。すなわち、駆動電極ＣＯＭＬ５に矩形波形ａで示されるタッチ検出駆動信号Ｖｃｏｍｔが印加された状態において、駆動電極ＣＯＭＬ５においてタッチ検出された場合を示す。
【００８４】
次に、図１９に示すように、駆動電極ドライバ１４は、次の１ブロック期間（１Ｂ）のタッチ検出期間Ｐｔで、駆動信号印加ブロックＢ３に属する駆動電極ＣＯＭＬ（駆動電極ＣＯＭＬ６、ＣＯＭＬ８、ＣＯＭＬ１０）にタッチ検出駆動信号Ｖｃｏｍｔを印加する。そして、タッチ検出部４０は、上述のように、タッチ検出駆動信号Ｖｃｏｍｔによって変化したタッチ検出信号Ｖｄｅｔを検出し、このタッチ検出信号ＶｄｅｔをＡ／Ｄ変換したデジタル信号に基づいて、画面ＧＳにおける駆動信号印加ブロックＢ３に対するタッチ検出の有無を判定する。
【００８５】
以上のように、タッチ検出部４０による駆動信号印加ブロックＢ２、Ｂ３に対するタッチ検出の有無の判定の結果、駆動信号印加ブロックＢ２のみにおいてタッチ検出された場合、駆動信号印加ブロックＢ２及び駆動信号印加ブロックＢ３においてタッチ検出された場合、並びに、駆動信号印加ブロックＢ３のみにおいてタッチ検出された場合の駆動電極ＣＯＭＬの並設方向において３通りのタッチ検出の状態が判定される。ここで、駆動信号印加ブロックＢ２のみにおいてタッチ検出された場合とは、図１５及び図１６に示すように、駆動信号印加ブロックＢ２における駆動電極ＣＯＭＬ５に相当する部分においてタッチ検出された場合を示す。すなわち、駆動電極ＣＯＭＬ５に矩形波形ａで示されるタッチ検出駆動信号Ｖｃｏｍｔが印加された状態において、駆動電極ＣＯＭＬ５においてタッチ検出された場合を示す。
【００８６】
また、駆動信号印加ブロックＢ２及び駆動信号印加ブロックＢ３においてタッチ検出された場合とは、図１５及び図１６に示すように、駆動信号印加ブロックＢ２における駆動電極ＣＯＭＬ７及び駆動信号印加ブロックＢ３における駆動電極ＣＯＭＬ６に相当する部分、すなわち、ブロック重畳部Ｌ２においてタッチ検出された場合を示す。すなわち、駆動電極ＣＯＭＬ６、ＣＯＭＬ７に矩形波形ｂで示されるタッチ検出駆動信号Ｖｃｏｍｔが印加された状態において、駆動電極ＣＯＭＬ６、ＣＯＭＬ７においてタッチ検出された場合を示す。
【００８７】
そして、駆動信号印加ブロックＢ３のみにおいてタッチ検出された場合とは、図１５及び図１６に示すように、駆動信号印加ブロックＢ３における駆動電極ＣＯＭＬ８に相当する部分においてタッチ検出された場合を示す。すなわち、駆動電極ＣＯＭＬ８に矩形波形ａで示されるタッチ検出駆動信号Ｖｃｏｍｔが印加された状態において、駆動電極ＣＯＭＬ８においてタッチ検出された場合を示す。
【００８８】
以上のように、タッチ検出機能付き表示装置１は、上述したように、タッチ検出駆動信号Ｖｃｏｍｔを印加するブロックを駆動信号印加ブロックＢ１から下側に順次シフトしつつ、駆動信号印加ブロックＢ１〜Ｂｍに対して上記のタッチ検出動作を実行することによって、画面ＧＳの全面に対するタッチ検出動作を実行する。そして、このように各駆動信号印加ブロックにおいてタッチ検出動作が実行されることによって、駆動信号印加ブロックＢ１のみのタッチ検出、ブロック重畳部Ｌ１におけるタッチ検出、駆動信号印加ブロックＢ２のみのタッチ検出、ブロック重畳部Ｌ２におけるタッチ検出、・・・、駆動信号印加ブロックＢｍのみのタッチ検出というようなタッチ検出動作が可能となる。したがって、駆動信号印加ブロックごとのタッチ検出ではなく、それよりも細かい領域単位でタッチ検出が可能となるので、駆動電極ＣＯＭＬの並設方向において、指示具によるタッチ動作の位置検出の精度を向上させることができる。また、駆動電極ドライバが、ブロック重畳部が設けられていない通常のブロック単位で順次、タッチ検出駆動信号Ｖｃｏｍｔを印加する場合の走査時間と比較して、ブロック重畳部が設けられた場合でも画面全体の走査時間について同等とすることができる。さらに、駆動電極ドライバが、駆動電極ＣＯＭＬごとに順次タッチ検出駆動信号Ｖｃｏｍｔを印加していく場合と比較して、画面全体の走査時間を短縮することができる。
【００８９】
なお、図１５に示すように、駆動信号印加ブロックＢ１〜Ｂｍの電極パターンを構成するそれぞれの駆動電極ＣＯＭＬは、駆動電極ドライバ１４内において、駆動電極ドライバ１４のスイッチング機能により電気的に接続するものとしているが、これに限定されるものではない。すなわち、駆動電極ドライバ１４の外部において、駆動信号印加ブロックＢ１〜Ｂｍの電極パターンを構成するそれぞれの駆動電極ＣＯＭＬが電気的に接続されるものとしてもよい。
【００９０】
また、画面ＧＳにおいて、表示動作期間Ｐｄに分割される駆動信号印加ブロックＡ１〜Ａｎの数と、タッチ検出期間Ｐｔに分割される駆動信号印加ブロックＢ１〜Ｂｍの数とは、同数でなくてもよい。
【００９１】
また、上述のように、タッチ検出機能付き表示装置１は、タッチ検出期間Ｐｔにおいて、タッチ検出駆動信号Ｖｃｏｍｔを印加するブロックを駆動信号印加ブロックＢ１から下側に順次シフトしつつ、駆動信号印加ブロックＢ１〜Ｂｍに対してタッチ検出動作を実行している。このとき、隣接した駆動信号印加ブロックのブロック重畳部を設けることにより、駆動信号印加ブロックごとのタッチ検出ではなく、それよりも細かい領域単位でタッチ検出が可能となる。これによって、駆動電極ＣＯＭＬの並設方向において、指示具によるタッチ動作の位置検出の精度を向上させるものとしている。しかしながら、人間の指ではなくスタイラス等のように先が尖った指示具を用いる場合、駆動信号印加ブロックごとのタッチ検出ではなく、駆動電極ＣＯＭＬごとにタッチ検出駆動信号Ｖｃｏｍｔを印加して走査する方が位置検出の精度を確保する上で好適な場合がある。この場合、駆動電極ドライバ１４は、上述のように、スイッチング機能によって、任意の駆動電極ＣＯＭＬの組み合わせに対して電気的に接続が可能である。したがって、駆動電極ドライバ１４は、指によってタッチ検出された場合は、駆動信号印加ブロックごとのタッチ検出を実行するように切り替え、スタイラス等によってタッチ検出された場合は、駆動電極ＣＯＭＬごとにタッチ検出を実行するように切り替えるものとしてもよい。
【００９２】
このとき、指によるタッチ検出であるかスタイラス等によるタッチ検出であるかの判定方法としては、例えば、以下のようにすればよい。すなわち、タッチ検出部４０が所定の本数以上のタッチ検出電極ＴＤＬにおいてタッチ検出した場合は、指によるタッチ検出と判定し、駆動電極ドライバ１４は、駆動信号印加ブロックごとのタッチ検出を実行するように切り替える。そして、タッチ検出部４０が所定の本数未満のタッチ検出電極ＴＤＬにおいてタッチ検出した場合は、スタイラス等によるタッチ検出と判定し、駆動電極ドライバ１４は、駆動電極ＣＯＭＬごとにタッチ検出を実行するように切り替えるものとすればよい。なお、指によるタッチ検出であるかスタイラス等によるタッチ検出であるかの判定方法としては、上記の方法に限定されるものではない。
【００９３】
さらに、上記のように指示具として指及びスタイラス等を例示し、駆動信号印加ブロックごとのタッチ検出の実行と、駆動電極ＣＯＭＬごとのタッチ検出の実行とを切り替えるものとしたが、これに限定されるものではない。すなわち、駆動電極ドライバ１４は、タッチ検出部４０がタッチ検出したタッチ検出電極ＴＤＬの本数に基づいて、駆動信号印加ブロックを構成する駆動電極ＣＯＭＬの本数を切り替えるものとしてもよい。なお、駆動電極ドライバ１４によって切り替えられる駆動信号印加ブロックＢ１〜Ｂｍそれぞれの駆動電極ＣＯＭＬの本数を同一とし、かつ、駆動信号印加ブロックＢ１、Ｂｍを例外として電極パターンを同一にすることが望ましい。これによって、指示具によるタッチ動作の位置検出の精度のばらつきの発生を抑制することができる。
【００９４】
（実施形態１の変形例１）
図２１は、本開示の実施形態１の変形例１のタッチ検出デバイスにおいて４本の駆動電極で構成される場合の駆動信号印加ブロックの設定動作及び構成を説明する図である。図２２は、図２１に示す各駆動信号印加ブロックを構成する駆動電極にタッチ検出駆動信号が印加される状態を示す図である。
【００９５】
図２１に示すタッチ検出デバイス３０の駆動信号印加ブロックＢ１〜Ｂｍは、それぞれ４本の駆動電極ＣＯＭＬによって構成されている。また、駆動信号印加ブロックの並設方向の端部側の駆動電極ＣＯＭＬは、隣接する駆動信号印加ブロックの並設方向の端部側の駆動電極ＣＯＭＬと、並び順が入れ替わって配設されている。すなわち、図１５に示すタッチ検出デバイス３０と同様に、互いに隣接する駆動信号印加ブロックの並設方向の端部側における一部の駆動電極ＣＯＭＬ（図２１においては１本の駆動電極ＣＯＭＬ）が入れ替わって配設された部分は、隣接する駆動信号印加ブロックが重畳した部分（ブロック重畳部Ｌ１、Ｌ２、・・・、Ｌｍ−１）とみなすことができる。
【００９６】
図２２に示すように、駆動信号印加ブロックＢ１〜Ｂｍがそれぞれ４本の駆動電極ＣＯＭＬで構成されたタッチ検出デバイス３０においては、各駆動信号印加ブロックのみでタッチ検出される部分の駆動電極ＣＯＭＬは隣接した２本となる。例えば、駆動信号印加ブロックＢ２のみにおいてタッチ検出される場合、図２２に示すように、矩形波形ａでタッチ検出駆動信号Ｖｃｏｍｔの印加状態が示される隣接した駆動電極ＣＯＭＬ６、ＣＯＭＬ７に相当する部分においてタッチ検出される。一般に、隣接した複数の駆動電極ＣＯＭＬに対して、タッチ検出駆動信号Ｖｃｏｍｔが印加された場合、対向するタッチ検出電極ＴＤＬに現れるタッチ検出信号Ｖｄｅｔに基づく上述した絶対値｜ΔＶ｜の値は大きくなる。すなわち、隣接した複数の駆動電極ＣＯＭＬにおけるタッチ検出の感度が高くなる。したがって、図１５に示したタッチ検出デバイス３０と同様に、駆動電極ＣＯＭＬの並設方向において、指示具によるタッチ動作の位置検出の精度を向上させることができると共に、各駆動信号印加ブロックのみでタッチ検出される場合の感度を向上させることができる。
【００９７】
（実施形態１の変形例２）
図２３は、本開示の実施形態１の変形例２のタッチ検出デバイスにおいて１０本の駆動電極で構成される場合において各駆動信号印加ブロックを構成する駆動電極にタッチ検出駆動信号が印加される状態を示す図である。
【００９８】
図２３は、駆動信号印加ブロックＢ１〜Ｂｍのうち、駆動信号印加ブロックＢｌ、Ｂｌ＋１、Ｂｌ＋２においてタッチ検出駆動信号Ｖｃｏｍｔが印加される状態を示している。図２３に示すように、例えば、駆動信号印加ブロックＢｌ＋２の矩形波形ｃで印加状態が示される駆動電極ＣＯＭＬｋ＋１０は、駆動信号印加ブロックＢｌ＋１の矩形波形ａで印加状態が示される駆動電極ＣＯＭＬｋ＋６〜ＣＯＭＬｋ＋９と、矩形波形ｂで印加状態が示される駆動電極ＣＯＭＬｋ＋１１、ＣＯＭＬｋ＋１２との間に配設されている。また、駆動信号印加ブロックＢｌ＋２の矩形波形ｂで印加状態が示される駆動電極ＣＯＭＬｋ＋１３、ＣＯＭＬｋ＋１４は、駆動信号印加ブロックＢｌ＋１の矩形波形ｂで印加状態が示される駆動電極ＣＯＭＬｋ＋１１、ＣＯＭＬｋ＋１２と、矩形波形ｃで印加状態が示される駆動電極ＣＯＭＬｋ＋１５との間に配設されている。また、駆動信号印加ブロックＢｌ＋１、Ｂｌ＋２の矩形波形ａで印加状態が示される駆動電極ＣＯＭＬは、４本の隣接した駆動電極ＣＯＭＬによって構成されている。以上のように、図２３に示されるタッチ検出デバイスにおいては、隣接する駆動信号印加ブロックの端部側の駆動電極ＣＯＭＬと、並び順が複数段に入れ替わって配設されている。したがって、隣接する駆動信号印加ブロックＢｌ＋１、Ｂｌ＋２において、駆動電極ＣＯＭＬが複数段に入れ替わって配設された部分（駆動電極ＣＯＭＬｋ＋１０〜ＣＯＭＬｋ＋１５）は、重畳した部分（ブロック重畳部Ｌｌ＋１）とみなすことができる。
【００９９】
以上のような態様で、駆動信号印加ブロックの電極パターン、及び、ブロック重畳部が構成されている。ただし、図１５及び図２１で示されるタッチ検出デバイス３０と同様に、駆動信号印加ブロックＢ１、Ｂｍについては、ブロック群の端部側に配置されたブロックなので、隣接するブロックは一方の端部側の１ブロックのみであり、重畳した部分もその端部側のみとなる。
【０１００】
このように、図２３に示すタッチ検出デバイスの駆動信号印加ブロックＢ１〜Ｂｍのブロック重畳部は、駆動電極ＣＯＭＬが複数段に入れ替わって配設され、かつ、同じ駆動信号印加ブロックに属する隣接した複数の駆動電極ＣＯＭＬ（図２３に示す矩形波形ｂに対応する駆動電極ＣＯＭＬ）を含む。したがって、駆動電極ＣＯＭＬの並設方向において、指示具によるタッチ動作の位置検出の精度を向上させることができると共に、ブロック重畳部でタッチ検出される場合の感度を向上させることができる。なお、上記の効果を得るために、ブロック重畳部が、必ずしも隣接する駆動信号印加ブロックの駆動電極ＣＯＭＬが複数段に入れ替わって配設されていることは必要ではない。すなわち、ブロック重畳部に、同じ駆動信号印加ブロックに属する隣接した複数の駆動電極ＣＯＭＬを含む構成を有していれば、上記の効果を得ることができる。
【０１０１】
なお、図１５、図２１及び図２３において、それぞれ、各駆動信号印加ブロックが３本、４本及び１０本の駆動電極ＣＯＭＬによって構成されるタッチ検出デバイスについて説明したが、駆動信号印加ブロックを構成する駆動電極ＣＯＭＬがこれらの本数に限定されないのは言うまでもない。
【０１０２】
（実施形態１の変形例３）
図２４は、本開示の実施形態１の変形例３のタッチ検出機能付き表示デバイスの概略断面図である。
【０１０３】
上述のタッチ検出機能付き表示装置１のタッチ検出機能付き表示デバイス１０は、液晶層６における駆動方式としてＴＮモード、ＶＡモード又はＯＣＢモード等を用いるものである。これに代えて、図２４で示されるタッチ検出機能付き表示装置のタッチ検出機能付き表示デバイス１０ａのように横電界モードの液晶の駆動方式を用いるものとしてもよい。横電界モードとしては、ＩＰＳ（Ｉｎ  Ｐｌａｎｅ  Ｓｗｉｔｃｈｉｎｇ）モード、又はＦＦＳ（Ｆｒｉｎｇｅ  Ｆｉｅｌｄ  Ｓｗｉｔｃｈｉｎｇ）モード等の駆動方式が用いられる。図２４に示すタッチ検出機能付き表示デバイス１０ａは、画素基板２ａと対向基板３ａとの間に液晶層６ａが挟持された構成を有している。タッチ検出機能付き表示デバイス１０ａは、図７に示すタッチ検出機能付き表示デバイス１０とは異なり、表示動作用及びタッチ検出動作用の双方に兼用される駆動電極ＣＯＭＬは、ＴＦＴ基板２１の液晶層６ａ側の面に配設され、画素基板２ａの一部を構成する。駆動電極ＣＯＭＬの液晶層６ａ側には、絶縁層２３を介して、画素電極２２が配設されている。この場合、駆動電極ＣＯＭＬとタッチ検出電極ＴＤＬとの間の、液晶層６ａをも含むすべての部材が容量素子Ｃ１の形成に寄与する。その他の各部の構成及び機能は、図７に示すタッチ検出機能付き表示デバイス１０と同様である。
【０１０４】
以上のように、図２４に示すタッチ検出機能付き表示デバイス１０ａの構成によって、上述の本実施形態の効果を得ることができる。
【０１０５】
なお、図７に示すタッチ検出機能付き表示デバイス１０及び図２４に示すタッチ検出機能付き表示デバイス１０ａは、液晶表示デバイス２０及びタッチ検出デバイス３０を一体化したいわゆるインセルタイプとしているが、これに限定されるものではない。例えば、液晶表示デバイスに静電容量型のタッチ検出デバイスを装着した構成であってもよい。この構成の場合、液晶表示デバイス２０及びタッチ検出デバイス３０が、駆動電極を共有する構成ではなく、液晶表示デバイス及びタッチ検出デバイスそれぞれに駆動電極が配設される構成となる。この場合においても、上述の動作を採用することによって、同様の効果を得ることができる。ここで、上記の液晶表示デバイスに配設された駆動電極は、本発明の「第１駆動電極」に相当し、タッチ検出デバイスに配設された駆動電極は、本発明の「第２駆動電極」に相当する。
【０１０６】
［２．実施形態２］
実施形態２に係るタッチ検出機能付き表示装置１ａについて、実施形態１に係るタッチ検出機能付き表示装置１の構造と相違する点を中心に説明する。なお、実施形態２に係るタッチ検出機能付き表示装置１ａは、その全体構造について、タッチ検出電極ＴＤＬの電極パターンの構成以外については、実施形態１に係るタッチ検出機能付き表示装置１と同様であり、その動作についても実施形態１に係るタッチ検出機能付き表示装置１と同様である。
【０１０７】
（タッチ検出期間Ｐｔにおけるタッチ検出動作）
図２５は、本開示の実施形態２のタッチ検出デバイスにおいて３本のタッチ検出信号検出ブロックの設定動作及び構成を説明する図である。図２５を参照しながら、本実施形態に係るタッチ検出機能付き表示装置１ａのタッチ検出期間Ｐｔにおけるタッチ検出動作について説明する。
【０１０８】
図２５に示すタッチ検出機能付き表示装置１ａのタッチ検出デバイス３０のタッチ検出信号検出ブロックＢａ１〜Ｂａｍは、それぞれ３本のタッチ検出電極ＴＤＬによって構成されている。また、タッチ検出信号検出ブロックの端部側のタッチ検出電極ＴＤＬは、隣接するタッチ検出信号検出ブロックの端部側のタッチ検出電極ＴＤＬと、並び順が入れ替わって配設されている。すなわち、互いに隣接するタッチ検出信号検出ブロックの端部側における一部のタッチ検出電極ＴＤＬ（図２５においては１本のタッチ検出電極ＴＤＬ）が入れ替わって配設された部分は、隣接するタッチ検出信号検出ブロックが重畳した部分とみなすことができる。図２５に示すように、この重畳した部分を、タッチ検出信号検出ブロックＢａ１側から順に、ブロック重畳部Ｌａ１、Ｌａ２、・・・、Ｌａｍ−１（検出ブロック重畳部）と称するものとする。例えば、タッチ検出信号検出ブロックＢａ１とタッチ検出信号検出ブロックＢａ２との重畳部分がブロック重畳部Ｌａ１に相当し、タッチ検出信号検出ブロックＢａｍ−１とタッチ検出信号検出ブロックＢａｍとの重畳部分がブロック重畳部Ｌａｍ−１に相当する。なお、タッチ検出信号検出ブロックＢａ１、Ｂａｍは、ブロック群の端部側に配置されたブロックなので、隣接するブロックは一方の端部側の１ブロックのみであり、重畳した部分もその端部側のみとなる。
【０１０９】
タッチ検出電極ＴＤＬが接続されるタッチ検出部４０の信号増幅部４２は、各タッチ検出電極ＴＤＬに対して、駆動電極ドライバ１４と同様のスイッチング機能を有する。各タッチ検出信号検出ブロックを構成するタッチ検出電極ＴＤＬ１〜ＴＤＬｊは、信号増幅部４２内において、信号増幅部４２のスイッチング機能によって電気的に接続されることにより所定の電極パターン（同一のタッチ検出信号検出ブロックに含まれるタッチ検出電極ＴＤＬの数、及び、各タッチ検出電極ＴＤＬ同士の配置間隔の形態）を形成する。なお、上記のスイッチング機能を有するのは、信号増幅部４２である必要がなく、タッチ検出部４０内において、信号増幅部４２の前段にスイッチング処理部を設け、このスイッチング処理部が、上記のスイッチング機能を有するものとしてもよい。
【０１１０】
本実施形態に係るタッチ検出機能付き表示装置１ａは、実施形態１に係るタッチ検出機能付き表示装置１と同様に、タッチ検出駆動信号Ｖｃｏｍｔを印加する駆動信号印加ブロックＢ１から下側に順次シフトしつつ、画面ＧＳの全面に対するタッチ検出動作を実行する。このとき、駆動電極ＣＯＭＬの並設方向においては、上述のように、駆動信号印加ブロックＢ１のみ、ブロック重畳部Ｌ１、駆動信号印加ブロックＢ２のみ、ブロック重畳部Ｌ２、・・・、駆動信号印加ブロックＢｍのみという単位でタッチ検出がなされる。本実施形態においては、タッチ検出電極ＴＤＬの並設方向において、タッチ検出信号検出ブロック単位でタッチ検出がなされる。一般に、ブロック化した複数のタッチ検出電極ＴＤＬに現れるタッチ検出信号Ｖｄｅｔに基づく上述した絶対値｜ΔＶ｜の値は大きくなる。すなわち、ブロック化した複数のタッチ検出電極ＴＤＬにおけるタッチ検出の感度は高くなるので、タッチ検出電極ＴＤＬの並設方向において、タッチ検出の感度を向上させることができる。
【０１１１】
また、駆動電極ＣＯＭＬと同様に、隣接したタッチ検出信号検出ブロックの端部側における一部のタッチ検出電極ＴＤＬが入れ替わって配設され、ブロック重畳部を形成している。すなわち、タッチ検出信号検出ブロックＢａ１のみのタッチ検出、ブロック重畳部Ｌａ１におけるタッチ検出、タッチ検出信号検出ブロックＢａ２のみのタッチ検出、ブロック重畳部Ｌａ２におけるタッチ検出、・・・、タッチ検出信号検出ブロックＢａｍのみのタッチ検出というようなタッチ検出動作が可能となる。したがって、タッチ検出電極ＴＤＬの並設方向において、指示具によるタッチ動作の位置検出の精度を確保することができる。
【０１１２】
なお、図２５に示すように、タッチ検出信号検出ブロックＢａ１〜Ｂａｍの電極パターンを構成するそれぞれのタッチ検出電極ＴＤＬは、信号増幅部４２内において、信号増幅部４２のスイッチング機能により電気的に接続するものとしているが、これに限定されるものではない。すなわち、信号増幅部４２の外部において、タッチ検出信号検出ブロックＢａ１〜Ｂａｍの電極パターンを構成するそれぞれのタッチ検出電極ＴＤＬが電気的に接続されるものとしてもよい。
【０１１３】
また、画面ＧＳにおいて、タッチ検出期間Ｐｔに分割される駆動信号印加ブロックＢ１〜Ｂｍの数と、タッチ検出信号検出ブロックＢａ１〜Ｂａｍの数とは、同数でなくてもよい。
【０１１４】
また、上述のように、タッチ検出デバイス３０は、隣接したタッチ検出信号検出ブロックのブロック重畳部が設けられることにより、タッチ検出信号検出ブロックごとのタッチ検出ではなく、それよりも細かい領域単位でタッチ検出が可能となる。これによって、タッチ検出電極ＴＤＬの並設方向において、指示具によるタッチ動作の位置検出の精度を確保するものとしている。しかしながら、人間の指ではなくスタイラス等のように先が尖った指示具を用いる場合、タッチ検出信号検出ブロックごとのタッチ検出ではなく、タッチ検出電極ＴＤＬごとにタッチ検出する方が位置検出の精度を確保する上で好適な場合がある。この場合、信号増幅部４２は、上述のように、スイッチング機能によって、任意のタッチ検出電極ＴＤＬの組み合わせに対して電気的に接続が可能である。したがって、信号増幅部４２は、指によってタッチ検出された場合は、タッチ検出信号検出ブロックごとのタッチ検出を実行するように切り替え、スタイラス等によってタッチ検出された場合は、タッチ検出電極ＴＤＬごとにタッチ検出を実行するように切り替えるものとしてもよい。
【０１１５】
さらに、上記のように指示具として指及びスタイラス等を例示し、タッチ検出信号検出ブロックごとのタッチ検出の実行と、タッチ検出電極ＴＤＬごとのタッチ検出の実行とを切り替えるものとしたが、これに限定されるものではない。すなわち、信号増幅部４２は、タッチ検出される指示具に応じて、駆動信号印加ブロックを構成する駆動電極ＣＯＭＬの本数を切り替えるものとしてもよい。なお、信号増幅部４２によって切り替えられるタッチ検出信号検出ブロックＢａ１〜Ｂａｍそれぞれのタッチ検出電極ＴＤＬの本数を同一とし、かつ、タッチ検出信号検出ブロックＢａ１、Ｂａｍを例外として電極パターンを同一にすることが望ましい。これによって、指示具によるタッチ動作の感度及び位置検出の精度のばらつきの発生を抑制することができる。
【０１１６】
（実施形態２の変形例）
図２６は、本開示の実施形態２の変形例のタッチ検出デバイスにおいて４本のタッチ検出信号検出ブロックの設定動作及び構成を説明する図である。
【０１１７】
図２６に示すタッチ検出デバイス３０のタッチ検出信号検出ブロックＢａ１〜Ｂａｍは、それぞれ４本のタッチ検出電極ＴＤＬによって構成されている。また、タッチ検出信号検出ブロックの端部側のタッチ検出電極ＴＤＬは、隣接するタッチ検出信号検出ブロックの端部側のタッチ検出電極ＴＤＬと、並び順が入れ替わって配設されている。すなわち、図２５に示すタッチ検出デバイス３０と同様に、互いに隣接するタッチ検出信号検出ブロックの端部側における一部のタッチ検出電極ＴＤＬ（図２６においては１本のタッチ検出電極ＴＤＬ）が入れ替わって配設された部分は、隣接するタッチ検出信号検出ブロックが重畳した部分（ブロック重畳部Ｌａ１、Ｌａ２、・・・、Ｌａｍ−１）とみなすことができる。
【０１１８】
図２６に示すように、タッチ検出信号検出ブロックＢａ１〜Ｂａｍがそれぞれ４本のタッチ検出電極ＴＤＬで構成されたタッチ検出デバイス３０においては、各タッチ検出信号検出ブロックのみでタッチ検出される部分のタッチ検出電極ＴＤＬは隣接した２本となる。例えば、タッチ検出信号検出ブロックＢａ２のみにおいてタッチ検出される場合、図２６に示すように、隣接したタッチ検出電極ＴＤＬ６、ＴＤＬ７に相当する部分においてタッチ検出される。一般に、隣接した複数のタッチ検出電極ＴＤＬに現れるタッチ検出信号Ｖｄｅｔに基づく上述した絶対値｜ΔＶ｜の値は大きくなる。すなわち、隣接した複数のタッチ検出電極ＴＤＬにおけるタッチ検出の感度が高くなる。したがって、図２５に示したタッチ検出デバイス３０と同様に、タッチ検出電極ＴＤＬの並設方向において、指示具によるタッチ動作の位置検出の精度を確保することができると共に、各タッチ検出信号検出ブロックのみでタッチ検出される場合の感度を向上させることができる。
【０１１９】
なお、図２５及び図２６に示すタッチ検出デバイス３０は、互いに隣接するタッチ検出信号検出ブロックの端部側における１本のタッチ検出電極ＴＤＬが入れ替わって配設された部分を、ブロック重畳部としているが、これに限定されるものではない。すなわち、互いに隣接するタッチ検出信号検出ブロックの端部側において入れ替わるタッチ検出電極ＴＤＬを隣接した複数本のタッチ検出電極ＴＤＬとしてもよい。これによって、タッチ検出電極ＴＤＬの並設方向において、指示具によるタッチ動作の位置検出の精度を確保することができると共に、ブロック重畳部でタッチ検出される場合の感度を向上させることができる。
【０１２０】
また、図２５及び図２６に示すタッチ検出デバイス３０のタッチ検出電極ＴＤＬの構成は、実施形態１の変形例１〜３に係るタッチ検出デバイスに適用することも可能である。
【０１２１】
［３．実施形態３］
（電子機器の構成）
図２７〜図３８は、本開示の実施形態３に係る電子機器に対してタッチ検出機能付き表示装置を適用した場合の構成を示す図である。実施形態１、２に係るタッチ検出機能付き表示装置１、１ａは、テレビジョン装置、デジタルカメラ、ビデオカメラ、ノート型パーソナルコンピュータ及び携帯電話等のあらゆる分野の電子機器に適用することが可能である。つまり、実施形態１、２に係るタッチ検出機能付き表示装置１、１ａは、外部から入力された映像信号又は内部で生成した映像信号を、画像又は映像として表示するあらゆる分野の電子機器に適用することが可能である。このような電子機器は、タッチ検出機能付き表示装置によって検出された操作に対応した処理を実行し、かつ、タッチ検出機能付き表示装置に映像信号を供給する制御装置を備えている。図２７〜図３８を参照しながら、具体的な電子機器にタッチ検出機能付き表示装置を適用した構成について説明する。
【０１２２】
図２７は、本開示の実施形態３に係る電子機器としてのテレビジョン装置にタッチ検出機能付き表示装置を適用した例を示す図である。図２７に示す電子機器としてのテレビジョン装置は、フロントパネル５１１及びフィルターガラス５１２を含む映像表示画面部５１０を有しており、この映像表示画面部５１０は、実施形態１、２に係るタッチ検出機能付き表示装置１、１ａによって構成されている。
【０１２３】
図２８は、本開示の実施形態３に係る電子機器としてのデジタルカメラにタッチ検出機能付き表示装置を適用した例を示す図であり、当該デジタルカメラの前面斜視図であり、図２９は、当該デジタルカメラの背面斜視図である。図２８及び図２９に示す電子機器としてのデジタルカメラは、フラッシュ用の発光部５２１、表示部５２２、メニュースイッチ５２３及びシャッターボタン５２４を有している。表示部５２２は、実施形態１、２に係るタッチ検出機能付き表示装置１、１ａによって構成されている。
【０１２４】
図３０は、本開示の実施形態３に係る電子機器としてのビデオカメラにタッチ検出機能付き表示装置を適用した例を示す図である。図３０に示す電子機器としてのビデオカメラは、本体部５３１、本体部５３１の前方側面に設けられた被写体撮影用のレンズ５３２、撮影開始用及び停止用のスタート／ストップスイッチ５３３、及び表示部５３４を有している。表示部５３４は、実施形態１、２に係るタッチ検出機能付き表示装置１、１ａによって構成されている。
【０１２５】
図３１は、本開示の実施形態３に係る電子機器としてのノート型パーソナルコンピュータにタッチ検出機能付き表示装置を適用した例を示す図である。図３１に示す電子機器としてのノート型パーソナルコンピュータは、本体５４１、文字等の入力操作のためのキーボード５４２、及び画像を表示する表示部５４３を有している。表示部５４３は、実施形態１、２に係るタッチ検出機能付き表示装置１、１ａによって構成されている。
【０１２６】
図３２は、本開示の実施形態３に係る電子機器としての携帯電話にタッチ検出機能付き表示装置を適用した例を示す図であり、上側筐体と下側筐体とを開いた状態の正面図である。図３３は、当該携帯電話において上側筐体と下側筐体とを開いた状態の側面図である。そして、図３４〜図３８は、それぞれ当該携帯電話において上側筐体と下側筐体とを閉じた状態の正面図、左側面図、右側面図、平面図及び底面図である。図３２〜図３８に示す電子機器としての携帯電話は、上側筐体５５１と下側筐体５５２とを連結部５５３で連結したものであり、ディスプレイ５５４、サブディスプレイ５５５、ピクチャーライト５５６及びカメラ５５７を有している。ディスプレイ５５４又はサブディスプレイ５５５は、実施形態１、２に係るタッチ検出機能付き表示装置１、１ａによって構成されている。
【０１２７】
また、上述した内容により実施形態が限定されるものではなく、上述した実施形態の構成要素には、当業者が容易に想到できるもの、実質的に同一のもの、いわゆる均等の範囲のものが含まれる。
【０１２８】
［４．本開示の構成］
本開示は、次のような構成をとることができる。
（１）所定方向に並設された複数の駆動電極と、前記所定方向との交差方向に並設され、前記駆動電極との間に静電容量を形成する複数のタッチ検出電極と、指示具が前記タッチ検出電極に接触又は近接したか否かを検出するタッチ検出動作時に、前記駆動電極にタッチ検出駆動信号を印加する動作駆動部と、前記タッチ検出動作時に、前記タッチ検出電極から検出されるタッチ検出信号に基づいて、前記タッチ検出電極に接触又は近接する前記指示具の位置を検出するタッチ検出部と、を備え、複数の前記駆動電極は、３つ以上の前記駆動電極を含み、該各駆動電極は電気的に接続されて構成された複数の駆動信号印加ブロックに分けられ、該駆動信号印加ブロックは、前記所定方向の端部側の少なくとも１つの前記駆動電極が、隣接する駆動信号印加ブロックの前記所定方向の端部側の少なくとも１つの前記駆動電極と、前記駆動電極の並び順が入れ替わって配設された駆動ブロック重畳部を有し、前記動作駆動部は、前記駆動信号印加ブロックごとに順次、前記タッチ検出駆動信号を印加するタッチ検出装置。
【０１２９】
（２）前記各駆動信号印加ブロックを構成する前記駆動電極の数は同一であり、かつ、前記所定方向の端部側以外の複数の前記駆動信号印加ブロックは、該各駆動信号印加ブロックに含まれる複数の前記駆動電極の電極パターンが同一である前記（１）に記載のタッチ検出装置。
【０１３０】
（３）前記各駆動信号印加ブロックにおいて、前記駆動ブロック重畳部以外の前記駆動電極は、前記所定方向に隣接した複数の前記駆動電極である前記（１）又は（２）に記載のタッチ検出装置。
【０１３１】
（４）前記駆動ブロック重畳部は、同一の前記駆動信号印加ブロックに含まれる前記所定方向に隣接した複数の前記駆動電極を含む前記（１）〜（３）のいずれか一つに記載のタッチ検出装置。
【０１３２】
（５）前記動作駆動部は、前記各駆動電極同士の電気的な接続状態を任意に切り替えるスイッチング機能を有し、該スイッチング機能によって同一の前記駆動信号印加ブロックを構成する複数の前記駆動電極を電気的に接続する前記（１）〜（４）のいずれか一つに記載のタッチ検出装置。
【０１３３】
（６）前記動作駆動部は、前記タッチ検出部によって検出された前記指示具に基づいて、前記駆動信号印加ブロックを構成する前記駆動電極の数、及び複数の該駆動電極の電極パターンの少なくとも一方を変更する前記（５）に記載のタッチ検出装置。
【０１３４】
（７）前記駆動信号印加ブロックを構成する複数の前記駆動電極は、前記動作駆動部の外部において電気的に接続された前記（１）〜（４）のいずれか一つに記載のタッチ検出装置。
【０１３５】
（８）複数の前記タッチ検出電極は、３つ以上の前記タッチ検出電極を含み、該各タッチ検出電極は電気的に接続されて構成された複数のタッチ検出信号検出ブロックに分けられ、該タッチ検出信号検出ブロックは、前記交差方向の端部側に少なくとも１つの前記タッチ検出電極が、隣接するタッチ検出信号検出ブロックの前記交差方向の端部側の少なくとも１つの前記駆動電極と、前記駆動電極の並び順が入れ替わって配設された検出ブロック重畳部を有し、前記タッチ検出部は、前記タッチ検出信号検出ブロックごとに前記タッチ検出信号を検出する前記（１）〜（７）のいずれか一つに記載のタッチ検出装置。
【０１３６】
（９）前記各タッチ検出信号検出ブロックを構成する前記タッチ検出電極の数は同一であり、かつ、前記交差方向の端部側以外の複数の前記タッチ検出信号検出ブロックは、該各タッチ検出信号検出ブロックに含まれる複数の前記タッチ検出電極の電極パターンが同一である前記（８）に記載のタッチ検出装置。
【０１３７】
（１０）前記各タッチ検出信号検出ブロックにおいて、前記検出ブロック重畳部以外の前記タッチ検出電極は、前記交差方向に隣接した複数の前記タッチ検出電極である前記（８）又は（９）に記載のタッチ検出装置。
【０１３８】
（１１）前記検出ブロック重畳部は、同一の前記タッチ検出信号検出ブロックに含まれる前記交差方向に隣接した複数の前記タッチ検出電極を含む前記（８）〜（１０）のいずれか一つに記載のタッチ検出装置。
【０１３９】
（１２）前記タッチ検出部は、前記各タッチ検出電極同士の電気的な接続状態を任意に切り替えるスイッチング機能を有し、該スイッチング機能によって同一の前記タッチ検出信号検出ブロックを構成する複数の前記タッチ検出電極を電気的に接続する前記（８）〜（１１）のいずれか一つに記載のタッチ検出装置。
【０１４０】
（１３）前記タッチ検出部は、検出した前記指示具に基づいて、前記タッチ検出信号検出ブロックを構成する前記タッチ検出電極の数、及び複数の該タッチ検出電極の電極パターンの少なくとも一方を変更する前記（１２）に記載のタッチ検出装置。
【０１４１】
（１４）前記タッチ検出信号検出ブロックを構成する複数の前記タッチ検出電極は、前記タッチ検出部の外部において電気的に接続された前記（８）〜（１１）のいずれか一つに記載のタッチ検出装置。
【０１４２】
（１５）前記（１）〜（１４）のいずれか一つに記載のタッチ検出装置と、画素に表示動作をさせるための画素信号が印加される複数の画素電極と、該画素電極に前記画素信号を印加して前記表示動作を実行する表示駆動部と、を備え、前記動作駆動部は、前記表示動作時に、前記駆動電極に前記画素信号と同期した表示駆動信号を印加するタッチ検出機能付き表示装置。
【０１４３】
（１６）複数の前記駆動電極は、前記表示動作時に前記表示駆動信号が印加される複数の第１駆動電極と、前記タッチ検出動作時に前記タッチ検出駆動信号が印加される複数の第２駆動電極と、によって構成された前記（１５）に記載のタッチ検出機能付き表示装置。
【０１４４】
（１７）前記表示駆動部及び前記動作駆動部を制御する制御部を備え、該制御部は、前記表示動作を実行する表示動作期間と、前記タッチ検出動作を実行するタッチ検出期間とを交互に繰り返す前記（１５）又は（１６）に記載のタッチ検出機能付き表示装置。
【０１４５】
（１８）前記（１５）〜（１７）のいずれか一つに記載のタッチ検出機能付き表示装置と、該タッチ検出機能付き表示装置によって検出された操作に対応した処理を実行し、かつ、該タッチ検出機能付き表示装置に映像信号を供給する制御装置と、を備えた電子機器。
【符号の説明】
【０１４６】
１、１ａ  タッチ検出機能付き表示装置
２、２ａ  画素基板
３、３ａ  対向基板
６、６ａ  液晶層
１０、１０ａ  タッチ検出機能付き表示デバイス
１１  制御部
１２  ゲートドライバ
１３  ソースドライバ
１４  駆動電極ドライバ
２０  液晶表示デバイス
２１  ＴＦＴ基板
２２  画素電極
２３  絶縁層
３０  タッチ検出デバイス
３１  ガラス基板
３２  カラーフィルタ
３５  偏光板
４０  タッチ検出部
４２  信号増幅部
４３  Ａ／Ｄ変換部
４４  信号処理部
４５  座標抽出部
４６  ノイズ検出部
４７  検出タイミング制御部
５１０  映像表示画面部
５１１  フロントパネル
５１２  フィルターガラス
５２１  発光部
５２２  表示部
５２３  メニュースイッチ
５２４  シャッターボタン
５３１  本体部
５３２  レンズ
５３３  スタート／ストップスイッチ
５３４  表示部
５４１  本体
５４２  キーボード
５４３  表示部
５５１  上側筐体
５５２  下側筐体
５５３  連結部
５５４  ディスプレイ
５５５  サブディスプレイ
５５６  ピクチャーライト
５５７  カメラ
ａ  矩形波形
Ａ１〜Ａｎ  駆動信号印加ブロック
ｂ  矩形波形
Ｂ１〜Ｂｍ  駆動信号印加ブロック
Ｂａ１〜Ｂａｍ  タッチ検出信号検出ブロック
ｃ  矩形波形
Ｃ１、Ｃ１ａ  容量素子
Ｃ２  静電容量
ＣＯＭＬ、ＣＯＭＬ１〜ＣＯＭＬｉ  駆動電極
Ｄ  誘電体
ＤＥＴ  電圧検出器
Ｅ１  駆動電極
Ｅ２  タッチ検出電極
ＧＣＬ  走査信号線
ＧＳ  画面
Ｉ０、Ｉ１  電流
Ｌ１〜Ｌｍ−１  ブロック重畳部
Ｌａ１〜Ｌａｍ−１  ブロック重畳部
ＬＣ  液晶素子
Ｏｕｔ  出力信号
Ｐｄ  表示動作期間
Ｐｉｘ  画素
Ｐｔ  タッチ検出期間
Ｒｅｓｅｔ  期間
Ｓ  交流信号源
Ｓｇ  交流矩形波
ＳＧＬ  画素信号線
ｔ１〜ｔ５、ｔ１１〜ｔ１５  タイミング
ＴＤＬ、ＴＤＬ１〜ＴＤＬｊ  タッチ検出電極
Ｔｒ  ＴＦＴ素子
ｔｓ  サンプリングタイミング
Ｖ０、Ｖ１  波形
Ｖｃｏｍ  駆動信号
Ｖｃｏｍｄ  表示駆動信号
Ｖｃｏｍｔ  タッチ検出駆動信号
Ｖｄｅｔ  タッチ検出信号
Ｖｄｉｓｐ  映像信号
Ｖｐｉｘ  画素信号
Ｖｓｃａｎ  走査信号
Ｖｔｈ  閾値電圧
ΔＶ  電圧差分
【図１】
0005937557.tif 000002
【図２】
0005937557.tif 000003
【図３】
0005937557.tif 000004
【図４】
0005937557.tif 000005
【図５】
0005937557.tif 000006
【図６】
0005937557.tif 000007
【図７】
0005937557.tif 000008
【図８】
0005937557.tif 000009
【図９】
0005937557.tif 000010
【図１０】
0005937557.tif 000011
【図１１】
0005937557.tif 000012
【図１２】
0005937557.tif 000013
【図１３】
0005937557.tif 000014
【図１４】
0005937557.tif 000015
【図１５】
0005937557.tif 000016
【図１６】
0005937557.tif 000017
【図１７】
0005937557.tif 000018
【図１８】
0005937557.tif 000019
【図１９】
0005937557.tif 000020
【図２０】
0005937557.tif 000021
【図２１】
0005937557.tif 000022
【図２２】
0005937557.tif 000023
【図２３】
0005937557.tif 000024
【図２４】
0005937557.tif 000025
【図２５】
0005937557.tif 000026
【図２６】
0005937557.tif 000027
【図２７】
0005937557.tif 000028
【図２８】
0005937557.tif 000029
【図２９】
0005937557.tif 000030
【図３０】
0005937557.tif 000031
【図３１】
0005937557.tif 000032
【図３２】
0005937557.tif 000033
【図３３】
0005937557.tif 000034
【図３４】
0005937557.tif 000035
【図３５】
0005937557.tif 000036
【図３６】
0005937557.tif 000037
【図３７】
0005937557.tif 000038
【図３８】
0005937557.tif 000039